(57)【要約】【課題】動力源付きリーン車両のシェアリングで用いる動力源付きリーン車両の導入コストを抑制可能な動力源付きリーン車両用シェアリング管理装置及び動力源付きリーン車両用シェアリング管理方法を提供する。【解決手段】動力源付きリーン車両用シェアリング管理装置１は、ユーザが動力源付きリーン車両１００，２００，３００を単発利用する際に、ユーザの単発利用に関するユーザ単発利用要望情報を取得し、前記ユーザ単発利用要望情報に基づいて、利用可能な動力源付きリーン車両の種類と、ベースに関する情報とを少なくとも含む、動力源付きリーン車両種類−ベース関連情報を、複数、生成し、前記複数の動力源付きリーン車両種類−ベース関連情報を出力する。【選択図】図１１
2019087246.tif 000002
【特許請求の範囲】
【請求項１】
複数のベースに駐車された動力源付きリーン車両のシェアリングを管理する動力源付きリーン車両用シェアリング管理装置であって、
前記複数のベースに駐車され且つ最大航続距離、最高速度、最高出力及び最大トルクの少なくとも一つが異なる仕様である複数種類の動力源付きリーン車両を、ユーザが２４時間よりも短い時間で単発利用する際に、前記複数のベースに駐車され且つ最大航続距離、最高速度、最高出力及び最大トルクの少なくとも一つが異なる仕様である動力源付きリーン車両の利用開始場所及び移動距離に関する情報を含むとともに、ユーザの単発利用に関する情報であるユーザ単発利用要望情報を取得し、
前記ユーザ単発利用要望情報に基づいて、前記複数のベースに駐車され且つ且つ最大航続距離、最高速度、最高出力及び最大トルクの少なくとも一つが異なる仕様である複数種類の動力源付きリーン車両の中から抽出された利用可能な動力源付きリーン車両の種類と、前記抽出された利用可能な動力源付きリーン車両が駐車されているベースに関する情報とを少なくとも含む、動力源付きリーン車両種類−ベース関連情報を、複数、生成し、
前記複数の動力源付きリーン車両種類−ベース関連情報を出力する、動力源付きリーン車両用シェアリング管理装置。
【請求項２】
請求項１に記載の動力源付きリーン車両用シェアリング管理装置において、
前記動力源付きリーン車両種類−ベース関連情報は、前記抽出された利用可能な動力源付きリーン車両の車両利用料金をさらに含む、動力源付きリーン車両用シェアリング管理装置。
【請求項３】
請求項１または２に記載の動力源付きリーン車両用シェアリング管理装置において、
前記動力源付きリーン車両種類−ベース関連情報は、最大航続距離、最高速度、最高出力及び最大トルクの少なくとも一つが異なる仕様である前記動力源付きリーン車両が複数種類、駐車可能なベースに関する情報を含む、動力源付きリーン車両用シェアリング管理装置。
【請求項４】
請求項１から３のいずれか一つに記載の動力源付きリーン車両用シェアリング管理装置において、
前記ユーザ単発利用要望情報は、前記移動距離に関する情報として、ユーザが前記複数のベースに駐車され且つ最大航続距離、最高速度、最高出力及び最大トルクの少なくとも一つが異なる仕様である動力源付きリーン車両を単発利用する際に、前記複数のベースに駐車され且つ最大航続距離、最高速度、最高出力及び最大トルクの少なくとも一つが異なる仕様である動力源付きリーン車両の利用終了場所に関する情報、利用時間に関する情報及び直接的な移動距離の少なくとも一つを含む、動力源付きリーン車両用シェアリング管理装置。
【請求項５】
請求項１から４のいずれか一つに記載の動力源付きリーン車両用シェアリング管理装置において、
前記ユーザ単発利用要望情報は、ユーザが前記複数のベースに駐車され且つ最大航続距離、最高速度、最高出力及び最大トルクの少なくとも一つが異なる仕様である前記動力源付きリーン車両を単発利用する際に、前記複数ベースに駐車され且つ最大航続距離、最高速度、最高出力及び最大トルクの少なくとも一つが異なる仕様である前記動力源付きリーン車両の利用終了場所の情報も含む、動力源付きリーン車両用シェアリング管理装置。
【請求項６】
請求項５に記載の動力源付きリーン車両用シェアリング管理装置において、
前記動力源付きリーン車両種類−ベース関連情報は、前記利用開始場所から前記利用終了場所までの経路上に、前記複数のベースに駐車され且つ最大航続距離、最高速度、最高出力及び最大トルクの少なくとも一つが異なる仕様である前記動力源付きリーン車両の乗り継ぎ場所に関する情報も含む、動力源付きリーン車両用シェアリング管理装置。
【請求項７】
請求項６に記載の動力源付きリーン車両用シェアリング管理装置において、
前記乗り継ぎ場所で、一つのベースに複数台駐車可能で且つ最大航続距離、最高速度、最高出力及び最大トルクの少なくとも一つが異なる仕様である複数種類の前記動力源付きリーン車両に乗り継ぐように、前記動力源付きリーン車両種類−ベース関連情報を生成する、動力源付きリーン車両用シェアリング管理装置。
【請求項８】
請求項５から７のいずれか一つに記載の動力源付きリーン車両用シェアリング管理装置において、
前記動力源付きリーン車両種類−ベース関連情報は、前記複数のベースに駐車され且つ最大航続距離、最高速度、最高出力及び最大トルクの少なくとも一つが異なる仕様である動力源付きリーン車両が前記利用開始場所から前記利用終了場所まで移動する際の所要時間に関する情報も含む、動力源付きリーン車両用シェアリング管理装置。
【請求項９】
請求項１から８のいずれか一つに記載の動力源付きリーン車両用シェアリング管理装置において、
前記複数のベースに駐車され且つ最大航続距離、最高速度、最高出力及び最大トルクの少なくとも一つが異なる仕様である複数種類の動力源付きリーン車両は、
動力源としてのモータと、
前記モータに電力を供給するバッテリ装置と、
を有し、
前記バッテリ装置の充電量が異なる、動力源付きリーン車両用シェアリング管理装置。
【請求項１０】
複数のベースに駐車された動力源付きリーン車両のシェアリングを管理する動力源付きリーン車両用シェアリング管理方法であって、
前記複数のベースに駐車され且つ最大航続距離、最高速度、最高出力及び最大トルクの少なくとも一つが異なる仕様である複数種類の動力源付きリーン車両を、ユーザが２４時間よりも短い時間で単発利用する際に、前記複数のベースに駐車され且つ最大航続距離、最高速度、最高出力及び最大トルクの少なくとも一つが異なる仕様である動力源付きリーン車両の利用開始場所及び移動距離に関する情報を含むとともに、ユーザの単発利用に関する情報であるユーザ単発利用要望情報を取得するユーザ単発利用要望情報取得ステップと、
前記ユーザ単発利用要望情報に基づいて、前記複数のベースに駐車され且つ最大航続距離、最高速度、最高出力及び最大トルクの少なくとも一つが異なる仕様である複数種類の動力源付きリーン車両の中から抽出された利用可能な動力源付きリーン車両の種類と、前記抽出された利用可能な動力源付きリーン車両が駐車されているベースに関する情報とを少なくとも含む、動力源付きリーン車両種類−ベース関連情報を、複数、生成する動力源付きリーン車両種類−ベース関連情報生成ステップと、
前記動力源付きリーン車両種類−ベース関連情報生成ステップで生成された前記複数の動力源付きリーン車両種類−ベース関連情報を出力する動力源付きリーン車両種類−ベース関連情報出力ステップと、
を有する、動力源付きリーン車両用シェアリング管理方法。
【請求項１１】
請求項１０に記載の動力源付きリーン車両用シェアリング管理方法において、
前記動力源付きリーン車両種類−ベース関連情報は、前記抽出された利用可能な動力源付きリーン車両の車両利用料金をさらに含む、動力源付きリーン車両用シェアリング管理方法。
【発明の詳細な説明】
【技術分野】
【０００１】
本発明は、動力源付きリーン車両のシェアリングを管理する動力源付きリーン車両用シェアリング管理装置及び動力源付きリーン車両用シェアリング管理方法に関する。
【背景技術】
【０００２】
近年、観光地または都市部などで、２輪車のシェアリングが普及しつつある。このような２輪車のシェアリングは、放置自転車等の問題解決及びパーク＆ライドの普及促進などの効果が期待されている。
【０００３】
２輪車のシェアリングを管理するシェアリング管理方法として、例えば非特許文献１に開示されるような自転車のシェアリング管理方法が知られている。この自転車のシェアリング管理方法では、ユーザは、ベースに駐輪された自転車を借りて移動した後、元のベースまたは目的地近くのベースに自転車を返却する。
【０００４】
また、動力源を有し且つ自転車よりも長距離の移動が可能な電動アシスト自転車を用いたシェアリングも知られている。具体的には、電動アシスト自転車を用いたシェアリング管理方法として、例えば非特許文献２、３に開示されるような電動アシスト自転車のシェアリング管理方法が知られている。これらの非特許文献２、３に開示される電動アシスト自転車のシェアリング管理方法でも、上述の非特許文献１に開示される自転車のシェアリング管理方法と同様、ユーザは、ベースに駐輪された電動アシスト自転車を借りて移動した後、元のベースまたは目的地近くのベースに電動アシスト自転車を返却する。
【０００５】
特許文献１には、シェアリングに用いられる電動アシスト自転車を、複数台、駐車可能なサイクルラックが開示されている。
【先行技術文献】
【特許文献】
【０００６】
【特許文献１】特開２０１７−１４３６６１号公報
【非特許文献】
【０００７】
【非特許文献１】“Ｌｅｔ’ｓ  Ｍｏｂｉｋｅ！”、モバイク・ジャパン株式会社、［平成２９年１０月６日検索］、インターネット（ｈｔｔｐｓ：／／ｗｗｗ．ｍｏｂｉｋｅ．ｃｏｍ／ｊｐ／）
【非特許文献２】“ＨＥＬＬＯ  ＣＹＣＬＩＮＧ”、ＯｐｅｎＳｔｒｅｅｔ株式会社、［平成２９年１０月６日検索］、通信回線（ｈｔｔｐｓ：／／ｗｗｗ．ｈｅｌｌｏｃｙｃｌｉｎｇ．ｊｐ／）
【非特許文献３】“ｄｏｃｏｍｏ  ｂｉｋｅ  ｓｈａｒｅ  ＳＭＡＲＴ  ＳＨＡＲＩＮＧ”、株式会社ドコモ・バイクシェア、［平成２９年１０月６日検索］、通信回線（ｈｔｔｐ：／／ｗｗｗ．ｄ−ｂｉｋｅｓｈａｒｅ．ｃｏｍ／）
【発明の概要】
【発明が解決しようとする課題】
【０００８】
電動アシスト自転車及び電動２車のような動力源付きリーン車両を用いたシェアリングでは、４輪車のシェアリングに比べて、動力源付きリーン車両の短距離の利用が多い。そのため、動力源付きリーン車両の一回の利用時間は短い。よって、動力源付きリーン車両を用いたシェアリングでは、貸し出し頻度をより高めることが求められる。
【０００９】
本発明は、動力源付きリーン車両のシェアリングの貸し出し頻度をより高めることが可能な動力源付きリーン車両用シェアリング管理装置及び動力源付きリーン車両用シェアリング管理方法を提供することを目的とする。
【課題を解決するための手段】
【００１０】
本発明者は、動力源付きリーン車両の貸し出し頻度をより高めるために、動力源付きリーン車両の貸し出し状況を詳細に検討した。
【００１１】
本発明者は、検討する中で、動力源付きリーン車両のシェアリングにおいて、動力源付きリーン車両は、短距離から長距離を移動する際に利用されることを見出した。
【００１２】
動力源付きリーン車両のシェアリングにおいて、動力源付きリーン車両は、動力源を有するため、動力源を有していない自転車よりも長距離の移動に利用される。また、動力源付きリーン車両は、４輪車に比べて車両の扱いが容易であるため、自転車と同様、短距離の移動にも利用される。このように、動力源付きリーン車両のシェアリングにおいて、動力源付きリーン車両は、短距離の移動から長距離の移動までの広い走行レンジで利用される。
【００１３】
本発明者は、動力源付きリーン車両のシェアリングにおいて、動力源付きリーン車両が、短距離の移動から長距離の移動までの広い走行レンジで利用されるという状況を活用して、動力源付きリーン車両の貸し出し頻度をより高める方法を検討した。
【００１４】
本発明者は、検討する中で、一般に行われている動力源付きリーン車両のシェアリングでは、短距離の移動から長距離の移動までの広い走行レンジをカバーするために、シェアリングで用いられる動力源付きリーン車両の種類を長距離移動可能な１種類にする、という技術思想に基づいていることに気付いた。
【００１５】
そこで、本発明者は、従来の技術思想とは異なり、短距離の移動から長距離の移動までの広い走行レンジをカバーするために、シェアリングで用いる動力源付きリーン車両の種類を航続距離が異なる複数の種類にする、という技術思想でのアプローチを試みた。
【００１６】
本発明者は、さらに検討する中で、シェアリングで用いられる動力源付きリーン車両の種類を航続距離が異なる複数の種類にすることで、多数のユーザの異なるニーズに応えられることに気付いた。
【００１７】
長距離移動可能であるハイスペックな動力源付きリーン車両の導入コストは、短距離移動可能であるロースペックな動力源付きリーン車両の導入コストとは、一般的に異なる。例えば、長距離移動可能であるハイスペックな動力源付きリーン車両の導入コストは、一般的に高い。また、例えば、長距離移動不可能であるが、短距離移動可能であるロースペックな動力源付きリーン車両の導入コストは、一般的に低い。このように、動力源付きリーン車両のシェアリングで用いられる動力源付きリーン車両の種類を複数にすることで、動力源付きリーン車両を多数用いるシェアリングにおいて、動力源付きリーン車両のシェアリングの運営コストを抑制することができる。その結果、動力源付きリーン車両のシェアリングを利用するユーザに提示する利用料金をダイナミックに設定することが可能となる。
【００１８】
本発明者は、シェアリングで用いられる動力源付きリーン車両の種類を、航続距離が異なる複数の種類にする、という技術思想により、ユーザに提示する利用料金をダイナミックに設定できるので、動力源付きリーン車両の貸し出し頻度をより高めることができることに気付いた。
【００１９】
さらに、本発明者は、検討した結果、シェアリングで用いられる動力源付きリーン車両の種類を、車両の仕様（Ｓｐｅｃｉｆｉｃａｔｉｏｎｓ）としての最大航続距離以外に車両の仕様としての最高速度または最高出力、最大トルクが異なる複数の種類としても、同様の効果が得られることを見出した。なお、最大航続距離、最高速度、最高出力及び最大トルクのうち少なくとも２つが異なる動力源付きリーン車両を、異なる複数の種類の動力源付きリーン車両としてもよい。
【００２０】
上述の航続距離、最高速度、最高出力及び最大トルクは、それぞれ、動力源付きリーン車両をシェアリングに導入した時の前記動力源付きリーン車両の仕様値（Ｓｐｅｃｉｆｉｃａｔｉｏｎ
ｖａｌｕｅ）である。
【００２１】
本発明の一実施形態に係る動力源付きリーン車両用シェアリング管理装置は、複数のベースに駐車された動力源付きリーン車両のシェアリングを管理する動力源付きリーン車両用シェアリング管理装置である。この動力源付きリーン車両用シェアリング管理装置は、前記複数のベースに駐車され且つ最大航続距離、最高速度、最高出力及び最大トルクの少なくとも一つが異なる仕様である複数種類の動力源付きリーン車両を、ユーザが２４時間よりも短い時間で単発利用する際に、前記複数のベースに駐車され且つ最大航続距離、最高速度、最高出力及び最大トルクの少なくとも一つが異なる仕様である動力源付きリーン車両の利用開始場所及び移動距離に関する情報を含むとともに、ユーザの単発利用に関する情報であるユーザ単発利用要望情報（Ｕｓｅｒ  Ｏｎｅ−Ｏｆｆ  Ｕｓａｇｅ  Ｄｅｍａｎｄ  Ｉｎｆｏｒｍａｔｉｏｎ）を取得し、前記ユーザ単発利用要望情報に基づいて、前記複数のベースに駐車され且つ最大航続距離、最高速度、最高出力及び最大トルクの少なくとも一つが異なる仕様である複数種類の動力源付きリーン車両の中から抽出された利用可能な動力源付きリーン車両の種類と、前記抽出された利用可能な動力源付きリーン車両が駐車されているベースに関する情報とを少なくとも含む、動力源付きリーン車両種類−ベース関連情報を、複数、生成し、前記複数の動力源付きリーン車両種類−ベース関連情報を出力する。
【００２２】
動力源付きリーン車両のシェアリングにおいて、前記動力源付きリーン車両は、短距離の移動から長距離の移動までの広い走行レンジで利用できる。動力源付きリーン車両は、動力源を有するため、動力源を有していない自転車よりも長距離の移動に利用できる。また、動力源付きリーン車両は、４輪車に比べて車両の扱いが容易であるため、自転車と同様、短距離の移動にも利用できる。このように、動力源付きリーン車両のシェアリングにおいて、動力源付きリーン車両は、短距離から長距離の移動までの広い走行レンジで利用できる。
【００２３】
また、前記動力源付きリーン車両は、４輪車と比較して、一つのベースに複数台駐車させることが容易にできる。そのため、短距離の移動から長距離の移動までの広い走行レンジで利用できる動力源付きリーン車両のシェアリングにおいて、複数のベースに駐車され且つ最大航続距離、最高速度、最高出力及び最大トルクの少なくとも一つが異なる仕様である複数種類の動力源付きリーン車両を用いることができる。
【００２４】
これにより、一つのベースに複数台駐車可能で且つ最大航続距離、最高速度、最高出力及び最大トルクの少なくとも一つが異なる仕様である複数種類の動力源付きリーン車両を用いたシェアリングにおいて、取得したユーザ単発利用要望情報に基づいて複数の動力源付きリーン車両種類−ベース関連情報を出力できる。よって、多数のユーザの異なるニーズに応えることができる。
【００２５】
したがって、動力源付きリーン車両の貸し出し頻度をより高めることが可能な動力源付きリーン車両用シェアリング管理装置を提供することができる。
【００２６】
なお、動力源付きリーン車両の最大航続距離、最高速度、最高出力及び最大トルクの少なくとも一つが異なるというのは、例えば電動アシスト自転車、自動２輪車、電動２輪車などのように車両の形態がそもそも異なる場合であってもよい。
【００２７】
動力源付きリーン車両の最大航続距離が異なるというのは、例えば、電動アシスト自転車及び電動２輪車などの電動車両の場合、シェアリングにおける車両導入時のバッテリ装置の最大充電量が異なる場合であってもよい。また、最大航続距離が異なる動力源付きリーン車両は、例えば、バッテリ装置の仕様が同じ場合でも、動力源付きリーン車両をシェアリングに導入した時に新品のバッテリ装置が搭載された動力源付きリーン車両と前記導入時に中古のバッテリ装置が搭載された動力源付きリーン車両との組み合わせを含む。
【００２８】
動力源付きリーン車両の最大航続距離が異なるというのは、エンジンが搭載された自動２輪車の場合、例えば、同じ仕様のエンジンにおいて、燃料タンクのタンク容量の大きさが異なる場合でもよい。また、最大航続距離が異なる動力源付きリーン車両は、燃料タンクのタンク容量は同じ大きさであるが、燃料消費率が異なる車両であってもよい。
【００２９】
最高速度、最高出力または最大トルクが異なるというのは、電動アシスト自転車及び電動２輪車などの電動車両の場合、例えば、モータの定格出力及び該モータの駆動制御の少なくとも一方が異なる場合であってもよい。
【００３０】
最高速度、最高出力または最大トルクが異なるというのは、エンジンが搭載された自動２輪車の場合、例えば、エンジンの排気量、エンジンの形式、エンジン制御、変速機の形式及び変速機制御の少なくとも一つが異なる場合であってもよい。
【００３１】
他の観点によれば、本発明の動力源付きリーン車両用シェアリング管理装置は、以下の構成を含むことが好ましい。前記動力源付きリーン車両種類−ベース関連情報は、前記抽出された利用可能な動力源付きリーン車両の車両利用料金をさらに含む。
【００３２】
これにより、車両利用料金が異なる複数の動力源付きリーン車両種類−ベース関連情報をユーザに複数の選択肢として提案できる。したがって、動力源付きリーン車両の貸し出し頻度を高めることができる。
【００３３】
他の観点によれば、本発明の動力源付きリーン車両用シェアリング管理装置は、以下の構成を含むことが好ましい。前記動力源付きリーン車両種類−ベース関連情報は、最大航続距離、最高速度、最高出力及び最大トルクの少なくとも一つが異なる仕様である動力源付きリーン車両が複数種類、駐車可能なベースに関する情報を含む。
【００３４】
これにより、ベースに駐車されている複数種類の動力源付きリーン車両の中から、ユーザ単発利用要望情報に応じた最適な種類の動力源付きリーン車両をユーザに提案できる。したがって、動力源付きリーン車両の貸し出し頻度をより高めることができる。
【００３５】
他の観点によれば、本発明の動力源付きリーン車両用シェアリング管理装置は、以下の構成を含むことが好ましい。前記ユーザ単発利用要望情報は、前記移動距離に関する情報として、ユーザが前記複数のベースに駐車され且つ最大航続距離、最高速度、最高出力及び最大トルクの少なくとも一つが異なる仕様である動力源付きリーン車両を単発利用する際に、前記複数のベースに駐車され且つ最大航続距離、最高速度、最高出力及び最大トルクの少なくとも一つが異なる仕様である動力源付きリーン車両の利用終了場所に関する情報、利用時間に関する情報及び移動距離を直接的な移動距離の少なくとも一つを含む。
【００３６】
動力源付きリーン車両の移動距離は、利用終了場所と利用開始場所との距離、利用時間と動力源付きリーン車両の速度（例えば法定速度）との積、実際の移動距離等によって求めることができる。よって、ユーザ単発利用要望情報が、移動距離に関する情報として、上述の情報の少なくとも一つを含むことにより、前記動力源付きリーン車両の移動距離を求めることができる。よって、前記移動距離に関する情報を考慮して動力源付きリーン車両種類−ベース関連情報を生成することにより、ベースに駐車されている複数種類の動力源付きリーン車両の中から、移動距離を考慮した動力源付きリーン車両を提案することができる。したがって、動力源付きリーン車両の貸し出し頻度をより高めることができる。
【００３７】
他の観点によれば、本発明の動力源付きリーン車両用シェアリング管理装置は、以下の構成を含むことが好ましい。前記ユーザ単発利用要望情報は、ユーザが前記複数のベースに駐車され且つ最大航続距離、最高速度、最高出力及び最大トルクの少なくとも一つが異なる仕様である動力源付きリーン車両を単発利用する際に、前記複数のベースに駐車され且つ最大航続距離、最高速度、最高出力及び最大トルクの少なくとも一つが異なる仕様である動力源付きリーン車両の利用終了場所の情報も含む。
【００３８】
これにより、ユーザが動力源付きリーン車両を単発利用する際に、利用終了場所の情報も含めたユーザ単発利用要望情報に基づいて、動力源付きリーン車両種類−ベース関連情報を生成して出力することができる。すなわち、利用終了場所を考慮して、動力源付きリーン車両を提案することができる。したがって、動力源付きリーン車両の貸し出し頻度をより高めることができる。
【００３９】
他の観点によれば、本発明の動力源付きリーン車両用シェアリング管理装置は、以下の構成を含むことが好ましい。前記動力源付きリーン車両種類−ベース関連情報は、前記利用開始場所から前記利用終了場所までの経路上に、前記複数のベースに駐車され且つ最大航続距離、最高速度、最高出力及び最大トルクの少なくとも一つが異なる仕様である動力源付きリーン車両の乗り継ぎ場所に関する情報も含む。
【００４０】
このように、動力源付きリーン車両種類−ベース関連情報が、利用開始場所から利用終了場所までの経路上に、最大航続距離、最高速度、最高出力及び最大トルクの少なくとも一つが異なる仕様である動力源付きリーン車両の乗り継ぎ場所も含むことにより、ユーザが選択可能な動力源付きリーン車両の台数を増やすことが可能になる。また、充電量または燃料残量が少ない動力源付きリーン車両を移動させて充電または燃料補給を行うことが可能になる。
【００４１】
したがって、上述の構成により、動力源付きリーン車両の貸し出し頻度をより高めることができる。しかも、上述の構成により、動力源付きリーン車両の再配置を行うことが可能になる。
【００４２】
他の観点によれば、本発明の動力源付きリーン車両用シェアリング管理装置は、以下の構成を含むことが好ましい。動力源付きリーン車両用シェアリング管理装置は、前記乗り継ぎ場所で、前記複数のベースに駐車され且つ最大航続距離、最高速度、最高出力及び最大トルクの少なくとも一つが異なる仕様である種類の前記動力源付きリーン車両に乗り継ぐように、前記動力源付きリーン車両種類−ベース関連情報を生成する。
【００４３】
これにより、且つ最大航続距離、最高速度、最高出力及び最大トルクの少なくとも一つが異なる仕様である複数種類の動力源付きリーン車両の乗り継ぎも含む複数の動力源付きリーン車両種類−ベース関連情報を、ユーザに提案できる。よって、ユーザが選択可能な動力源付きリーン車両の台数を増やすことが可能になる。また、充電量または燃料残量が少ない動力源付きリーン車両を移動させて充電または燃料補給を行うことが可能になる。
【００４４】
したがって、上述の構成により、動力源付きリーン車両の貸し出し頻度をより高めることができる。しかも、上述の構成により、動力源付きリーン車両の再配置を行うことが可能になる。
【００４５】
他の観点によれば、本発明の動力源付きリーン車両用シェアリング管理装置は、以下の構成を含むことが好ましい。前記動力源付きリーン車両種類−ベース関連情報は、前記複数のベースに駐車され且つ最大航続距離、最高速度、最高出力及び最大トルクの少なくとも一つが異なる仕様である動力源付きリーン車両が前記利用開始場所から前記利用終了場所まで移動する際の所要時間に関する情報も含む。
【００４６】
これにより、シェアリングのユーザに対し、利用開始場所から利用終了場所までの所要時間に関する情報も提供することができる。よって、ユーザは、前記所要時間も考慮して、動力源付きリーン車両を選択することが可能になる。したがって、ユーザの利便性を向上できる。これにより、動力源付きリーン車両の貸し出し頻度をより高めることができる。
【００４７】
他の観点によれば、本発明の動力源付きリーン車両用シェアリング管理装置は、以下の構成を含むことが好ましい。前記複数のベースに駐車され且つ最大航続距離、最高速度、最高出力及び最大トルクの少なくとも一つが異なる仕様である複数種類の動力源付きリーン車両は、動力源としてのモータと、前記モータに電力を供給するバッテリ装置と、を有し、前記バッテリ装置の充電量が異なる。
【００４８】
動力源付きリーン車両がモータ及びバッテリ装置を有する電動車両の場合、前記バッテリ装置の充電量は車両ごとに異なる。よって、バッテリ装置の充電量が異なる動力源付きリーン車両の中から、ユーザ単発利用要望情報に応じてユーザに適した動力源付きリーン車両を提案することができる。したがって、動力源付きリーン車両の貸し出し頻度をより高めることができる。
【００４９】
また、バッテリ装置の充電量に応じてシェアリングのユーザの費用負担を変更することにより、ユーザの費用負担を軽減することも可能である。
【００５０】
本発明の一実施形態に係る動力源付きリーン車両用シェアリング管理方法は、複数のベースに駐車された動力源付きリーン車両のシェアリングを管理する動力源付きリーン車両用シェアリング管理方法である。この動力源付きリーン車両用シェアリング管理方法は、前記複数のベースに駐車され且つ最大航続距離、最高速度、最高出力及び最大トルクの少なくとも一つが異なる仕様である複数種類の動力源付きリーン車両を、ユーザが２４時間よりも短い時間で単発利用する際に、前記複数のベースに駐車され且つ最大航続距離、最高速度、最高出力及び最大トルクの少なくとも一つが異なる仕様である動力源付きリーン車両の利用開始場所及び移動距離に関する情報を含むとともに、ユーザの単発利用に関する情報であるユーザ単発利用要望情報を取得するユーザ単発利用要望情報取得ステップと、前記ユーザ単発利用要望情報に基づいて、記複数のベースに駐車され且つ最大航続距離、最高速度、最高出力及び最大トルクの少なくとも一つが異なる仕様である複数種類の動力源付きリーン車両の中から抽出された利用可能な動力源付きリーン車両の種類と、前記抽出された利用可能な動力源付きリーン車両が駐車されているベースに関する情報とを少なくとも含む、動力源付きリーン車両種類−ベース関連情報を、複数、生成する動力源付きリーン車両種類−ベース関連情報生成ステップと、前記動力源付きリーン車両種類−ベース関連情報生成ステップで生成された前記複数の動力源付きリーン車両種類関連情報を出力する動力源付きリーン車両種類−ベース関連情報出力ステップと、を有する。
【００５１】
他の観点によれば、本発明の動力源付きリーン車両用シェアリング管理方法は、以下の構成を含むことが好ましい。前記動力源付きリーン車両種類−ベース関連情報は、前記抽出された利用可能な動力源付きリーン車両の車両利用料金をさらに含む。
【００５２】
本明細書で使用される専門用語は、特定の実施例のみを定義する目的で使用されるのであって、前記専門用語によって発明を制限する意図はない。
【００５３】
本明細書で使用される「及び／または」は、一つまたは複数の関連して列挙された構成物のすべての組み合わせを含む。
【００５４】
本明細書において、「含む、備える（including）」「含む、備えるcomprising）」または「有する（having）」及びそれらの変形の使用は、記載された特徴、工程、要素、成分、及び/または、それらの等価物の存在を特定するが、ステップ、動作、要素、コンポーネント、及び/または、それらのグループのうちの一つまたは複数を含むことができる。
【００５５】
本明細書において、「取り付けられた」、「接続された」、「結合された」、及び/または、それらの等価物は、広義の意味で使用され、“直接的及び間接的な”取り付け、接続及び結合の両方を包含する。さらに、「接続された」及び「結合された」は、物理的または機械的な接続または結合に限定されず、直接的または間接的な接続または結合を含むことができる。
【００５６】
他に定義されない限り、本明細書で使用される全ての用語（技術用語及び科学用語を含む）は、本発明が属する技術分野の当業者によって一般的に理解される意味と同じ意味を有する。
【００５７】
一般的に使用される辞書に定義された用語は、関連する技術及び本開示の文脈における意味と一致する意味を有すると解釈されるべきであり、本明細書で明示的に定義されていない限り、理想的または過度に形式的な意味で解釈されることはない。
【００５８】
本発明の説明においては、いくつもの技術および工程が開示されていると理解される。これらの各々は、個別の利益を有し、他に開示された技術の一つ以上、または、場合によっては全てと共に使用することもできる。
【００５９】
したがって、明確にするために、本発明の説明では、不要に個々のステップの可能な組み合わせをすべて繰り返すことを控える。しかしながら、本明細書及び特許請求の範囲は、そのような組み合わせがすべて本発明の範囲内であることを理解して読まれるべきである。
【００６０】
本明細書では、本発明に係る動力源付きリーン車両用シェアリング管理装置及び動力源付きリーン車両用シェアリング管理方法の実施形態について説明する。
【００６１】
以下の説明では、本発明の完全な理解を提供するために多数の具体的な例を述べる。しかしながら、当業者は、これらの具体的な例がなくても本発明を実施できることが明らかである。
【００６２】
よって、以下の開示は、本発明の例示として考慮されるべきであり、本発明を以下の図面または説明によって示される特定の実施形態に限定することを意図するものではない。
【００６３】
［リーン車両］
本明細書において、リーン車両とは、傾斜姿勢で旋回する車両である。具体的には、リーン車両は、車両の左右方向において、左方向に旋回する際に左方向に傾斜し、右方向に旋回する際に右方向に傾斜する車両である。リーン車両は、一人乗りの車両であってもよいし、複数人が乗車可能な車両であってもよい。なお、リーン車両は、２輪車だけでなく、３輪車または４輪車など、傾斜姿勢で旋回する全ての車両を含む。
【００６４】
［動力源］
本明細書において、動力源とは、車輪に対して回転駆動力を付与する装置を意味する。動力源は、例えば、エンジン、モータ、エンジン及びモータを組み合わせたハイブリッドシステムなどの回転駆動力を付与可能な装置を含む。
【００６５】
［動力源付きリーン車両］
本明細書において、動力源付きリーン車両は、電動アシスト自転車、自動２輪車、スクータ、傾斜姿勢で旋回する自動３輪車、傾斜姿勢で旋回する自動４輪車を含む。
【００６６】
［シェアリング］
本明細書において、シェアリングとは、同じ動力源付きリーン車両を複数のユーザが交替で利用することを意味する。
【００６７】
［単発利用］
本明細書において、単発利用とは、ユーザが動力源付きリーン車両を利用したいときのみに、動力源付きリーン車両のシェアリングを２４時間よりも短い時間で利用する場合を意味する。単発利用は、定期的な利用以外の利用、すなわち不定期の利用を含む。
【００６８】
［定期利用］
本明細書において、定期利用とは、ユーザが、１日のうち決められた時間帯に動力源付きリーン車両を所定期間にわたって利用したい場合において、例えば月単位などの複数日分の所定期間分をまとめて予約して利用することを意味する。定期利用は、定期利用開始場所と定期利用終了場所との間の距離から想定される移動時間よりも長時間の利用である。そのため、動力源付きリーン車両を貸し出し中にユーザがエネルギーチャージを行うための時間を確保できる。
【００６９】
［ベース］
本明細書において、ベースとは、同一種類または複数種類の動力源付きリーン車両を複数台、駐車可能な場所を意味する。なお、前記ベースは、動力源付きリーン車両専用の駐車場所を意味していてもよいし、決められた駐車場ではなく、所定の区域（例えば、公園、施設内の一部、道路などの公共エリアの一部など）内で動力源付きリーン車両を駐車可能な範囲を意味していてもよい。また、前記ベースは、動力源付きリーン車両以外の車両が駐車可能であってもよい。
【００７０】
［利用開始場所］
本明細書において、利用開始場所とは、動力源付きリーン車両の利用を開始するベースだけでなく、ユーザの現在地または移動開始場所も含む。また、利用開始場所は、一つのベースだけでなく、互いに距離が近い複数のベースも含む。
【００７１】
［利用終了場所］
本明細書において、利用終了場所とは、動力源付きリーン車両の利用を終了するベースだけでなく、ユーザの目的地も含む。また、利用終了場所は、一つのベースだけでなく、互いに距離が近い複数のベースも含む。
【００７２】
［移動距離に関する情報］
本明細書において、移動距離に関する情報とは、直接的な移動距離及び間接的な移動距離に関する情報の両方を含む。本明細書において、前記直接的な移動距離とは、例えばｋｍなどの長さの単位で表記される移動距離を意味する。前記移動距離は、例えば、利用開始場所と利用終了場所とから求めることができる。前記移動距離は、例えば、利用時間と法定速度とから求めることができる。前記間接的な移動距離に関する情報とは、移動距離を求めることができ且つ前記直接的な移動距離ではない別の情報である。本明細書において、移動距離に関する情報とは、直接的な移動距離、利用終了場所に関する情報及び利用時間に関する情報の少なくとも一つを含む。
【００７３】
［乗り継ぎ場所］
本明細書において、乗り継ぎ場所とは、動力源付きリーン車両を乗り継ぐ場所を意味する。また、乗り継ぎ場所は、一つのベースだけでなく、互いに距離が近い複数のベースも含む。
【発明の効果】
【００７４】
本発明の一実施形態によれば、動力源付きリーン車両のシェアリングの貸し出し頻度をより高めることが可能な動力源付きリーン車両用シェアリング管理装置及び動力源付きリーン車両用シェアリング管理方法を提供することができる。
【図面の簡単な説明】
【００７５】
【図１】図１は、本発明の実施形態に係る動力源付きリーン車両用シェアリング管理装置を含むシェアリング管理システムの概略構成を示す図である。
【図２】図２は、動力源付きリーン車両の一例である電動２輪車の概略構成を示す左側面図である。
【図３】図３は、動力源付きリーン車両の一例である電動アシスト自転車の概略構成を示す左側面図である。
【図４】図４は、動力源付きリーン車両の一例である自動２輪車の概略構成を示す左側面図である。
【図５】図５は、ユーザの携帯端末におけるユーザ単発利用要望情報の入力の一例を示す図である。
【図６】図６は、ユーザの携帯端末における動力源付きリーン車両種類−ベース関連情報の表示の一例を示す図である。
【図７】図７は、動力源付きリーン車両のシェアリングの一例を示す図である。
【図８】図８は、動力源付きリーン車両用シェアリング管理方法を示すフローチャートである。
【図９】図９は、動力源付きリーン車両のシェアリングの他の一例を示す図である。
【図１０】図１０は、動力源付きリーン車両のシェアリングの他の一例を示す図である。
【図１１】図１１は、動力源付きリーン車両用シェアリング管理装置の概略構成と、携帯端末の表示例とを示す図である。
【発明を実施するための形態】
【００７６】
以下で、各実施形態について、図面を参照しながら説明する。なお、各図中の構成部材の寸法は、実際の構成部材の寸法及び各構成部材の寸法比率等を忠実に表したものではない。
【００７７】
以下では、動力源付きリーン車両の一例として、電動２輪車１００、電動アシスト自転車２００及び自動２輪車３００を用いて説明する。そのため、以下では、図中の矢印Ｆは、電動２輪車１００、電動アシスト自転車２００及び自動２輪車３００の前方向を示す。図中の矢印Ｒは、電動２輪車１００、電動アシスト自転車２００及び自動２輪車３００の後方向を示す。図中の矢印Ｕは、電動２輪車１００、電動アシスト自転車２００及び自動２輪車３００の上方向を示す。また、前後左右の方向は、それぞれ、電動２輪車１００、電動アシスト自転車２００及び自動２輪車３００を運転する乗員から見た場合の前後左右の方向を意味する。
【００７８】
（全体構成）
図１に、本発明の実施形態に係る動力源付きリーン車両用シェアリング管理装置１を含むシェアリング管理システム１０の概略構成を示す。シェアリング管理システム１０は、動力源付きリーン車両を複数のユーザが交替で利用する、いわゆるシェアリングを管理するシステムである。
【００７９】
本実施形態のシェアリングは、動力源付きリーン車両の単発利用のシェアリングである。この単発利用は、ユーザが動力源付きリーン車両を利用したいときのみに、動力源付きリーン車両のシェアリングを２４時間よりも短い時間で利用する場合を意味する。
【００８０】
シェアリング管理システム１０は、動力源付きリーン車両用シェアリング管理装置１と、インターネットなどの通信回線２と、ユーザの携帯端末３と、動力源付きリーン車両１００，２００，３００を駐車可能なベースＸ１〜Ｘ３とを含む。シェアリング管理システム１０において、動力源付きリーン車両用シェアリング管理装置１、ユーザの携帯端末３及びベースＸ１〜Ｘ３は、通信回線２を介して信号の送受信可能である。通信回線２は、インターネット、ＬＡＮ、Ｗｉ−Ｆｉ（登録商標）などを含む。また、通信回線２は、有線または無線の通信も含む。
【００８１】
なお、図１に示す例では、シェアリング管理システム１０は、一つの携帯端末３及び３カ所のベースＸ１〜Ｘ３を有する。しかしながら、シェアリング管理システム１０は、ユーザの携帯端末３を複数有していてもよい。シェアリング管理システム１０は、ベースを２カ所以下または４カ所以上、有していてもよい。
【００８２】
本実施形態では、動力源付きリーン車両は、動力源を有するとともに、左方向に旋回する際に左方向に傾斜し、右方向に旋回する際に右方向に傾斜する車両である。動力源付きリーン車両は、例えば、自動２輪車、電動２輪車及び電動アシスト自転車などを含む。動力源付きリーン車両の動力源は、例えば、エンジン、モータ、エンジン及びモータを組み合わせたハイブリッドシステムなどの回転駆動力を付与可能な装置を含む。
【００８３】
なお、動力源付きリーン車両は、後述するベースＸ１〜Ｘ３に複数台駐車可能なリーン車両であれば、２輪車に限らず、３輪車または４輪車などの車両であってもよい。
【００８４】
本実施形態のシェアリング管理システム１０は、最大航続距離、最高速度、最高出力及び最大トルクの少なくとも一つが異なる仕様である複数種類の動力源付きリーン車両１００，２００，３００のシェアリングを管理する。すなわち、シェアリング管理システム１０は、例えば、動力源付きリーン車両としての電動２輪車１００、電動アシスト自転車２００及び自動２輪車３００のシェアリングを管理する。なお、シェアリング管理システム１０は、電動２輪車１００、電動アシスト自転車２００及び自動２輪車３００以外の動力源付きリーン車両のシェアリングを管理してもよい。
【００８５】
前記最大航続距離、最高速度、最高出力及び最大トルクの少なくとも一つが異なる仕様である複数の種類の動力源付きリーン車両は、例えば電動アシスト自転車、自動２輪車、電動２輪車などのように車両の形態がそもそも異なる車両を含む。
【００８６】
動力源付きリーン車両の最大航続距離が異なるというのは、例えば、電動アシスト自転車２００及び電動２輪車１００などの電動車両の場合、シェアリングにおける車両導入時のバッテリ装置の最大充電量が異なる場合であってもよい。また、最大航続距離が異なる動力源付きリーン車両は、例えば、バッテリ装置の仕様が同じ場合でも、動力源付きリーン車両をシェアリングに導入した時に新品のバッテリ装置が搭載された動力源付きリーン車両と前記導入時に中古のバッテリ装置が搭載された動力源付きリーン車両との組み合わせを含む。
【００８７】
動力源付きリーン車両の最大航続距離が異なるというのは、エンジンが搭載された自動２輪車３００の場合、例えば、同じ仕様のエンジンにおいて、燃料タンクのタンク容量の大きさが異なる場合でもよい。また、最大航続距離が異なる動力源付きリーン車両は、燃料タンクのタンク容量は同じ大きさであるが、燃料消費率が異なる車両であってもよい。
【００８８】
最高速度または最高出力が異なるというのは、電動アシスト自転車２００及び電動２輪車１００などの電動車両の場合、例えば、モータの定格出力及び該モータの駆動制御の少なくとも一方が異なる場合であってもよい。
【００８９】
最高速度または最高出力が異なるというのは、エンジンが搭載された自動２輪車３００の場合、例えば、エンジンの排気量、エンジンの形式、エンジン制御、変速機の形式及び変速機制御の少なくとも一つが異なる場合であってもよい。
【００９０】
なお、前記最大航続距離、最高速度及び最高出力の少なくとも一つが異なる仕様である複数の種類の動力源付きリーン車両として、同じ容量のバッテリ装置を有する電動２輪車１００または電動アシスト自転車２００において、出力を変更してもよい。これにより、出力が抑制された電動２輪車１００または電動アシスト自転車２００において、バッテリ装置を保護することが可能になる。
【００９１】
このように、シェアリングで用いる動力源付きリーン車両として、最大航続距離、最高速度、最高出力及び最大トルクの少なくとも一つが異なる仕様である動力源付きリーン車両を用いることにより、ユーザがシェアリングで動力源付きリーン車両を単発利用する際に、ユーザに対して最適な動力源付きリーン車両を提案できる。
【００９２】
また、上述の構成により、シェアリングで用いる動力源付きリーン車両を、長距離の動力源付きリーン車両で全て揃える必要がないため、動力源付きリーン車両の導入コストを低減できる。
【００９３】
したがって、動力源付きリーン車両のシェアリングにおいて、ユーザが負担する費用を低減できる。
【００９４】
ベースＸ１〜Ｘ３は、最大航続距離、最高速度、最高出力及び最大トルクの少なくとも一つが異なる仕様である複数の種類の動力源付きリーン車両が駐車可能なエリアを含む。ベースＸ１〜Ｘ３には、例えば、動力源付きリーン車両の後述する接続端子に接続される図示しない接続ケーブルが設けられている。この接続ケーブルは、通信回線２に対して信号の送受信可能に接続されている。すなわち、ベースＸ１〜Ｘ３に駐車されている動力源付きリーン車両は、前記接続端子に前記接続ケーブルが接続されることにより、通信回線２を介して、動力源付きリーン車両用シェアリング管理装置１及びユーザの携帯端末３と通信が可能である。
【００９５】
なお、前記接続ケーブルは、動力源付きリーン車両が電動２輪車１００または電動アシスト自転車２００の場合には、充電ケーブルとして機能してもよい。すなわち、ベースＸ１〜Ｘ３の少なくとも一部に、図示しない給電装置などの充電設備が設けられていてもよい。
【００９６】
上述のようにベースＸ１〜Ｘ３が複数の種類の動力源付きリーン車両が駐車可能なエリアを含むことにより、一つのべースに駐車されている複数種類の動力源付きリーン車両の中から、ユーザ単発利用要望情報に応じた最適な種類の動力源付きリーン車両をユーザに提案することが可能になる。したがって、動力源付きリーン車両のシェアリングにおいて、ユーザが負担する費用を低減できる。
【００９７】
次に、動力源付きリーン車両の構成を簡単に説明する。以下では、動力源付きリーン車両の一例として、電動２輪車１００、電動アシスト自転車２００及び自動２輪車３００について説明する。
【００９８】
（電動２輪車）
図２に示すように、電動２輪車１００は、車体１０１と、前輪１０２と、後輪１０３とを有する。車体１０１は、ハンドル１０４、シート１０５及びパワーユニット１０６等の各構成部品を支持する。車体１０１は、フレーム１１０を有する。このフレーム１１０が、ハンドル１０４、シート１０５及びパワーユニット１０６等の各構成部品を支持する。
【００９９】
フレーム１１０は、ヘッドパイプ１１１と、メインフレーム１１２とを有する。
【０１００】
ヘッドパイプ１１１は、電動２輪車１００の前部に位置し、ハンドル１０４に接続されたステアリングシャフト（図示省略）を回転可能に支持する。メインフレーム１１２は、ヘッドパイプ１１１から車両後方に向かって延びるように、ヘッドパイプ１１１に接続されている。メインフレーム１１２は、動力源であるモータ１０６ａを含むパワーユニット１０６等を支持する。
【０１０１】
前記ステアリングシャフトの下端部には、一対のフロントフォーク１０７が接続されている。一対のフロントフォーク１０７の下端部には、前輪１０２が回転可能に支持されている。これにより、ハンドル１０４を操作することにより、ステアリングシャフト及び一対のフロントフォーク１０７が前記ステアリングシャフトを中心として一体に回転するため、前輪１０２も前記ステアリングシャフトを中心として回転する。
【０１０２】
後輪１０３は、メインフレーム１１２に回転可能に支持されたパワーユニット１０６に対して回転可能に支持されている。すなわち、パワーユニット１０６は、スイングアームも兼ねている。パワーユニット１０６は、後輪１０３を回転させるモータ１０６ａを有する。
【０１０３】
また、本実施形態の電動２輪車１００は、パワーユニット１０６のモータ１０６ａに電力を供給するバッテリ装置１２０を有する。バッテリ装置１２０は、図示しない接続端子に、給電装置の充電ケーブルを接続することにより、充電が可能である。なお、バッテリ装置１２０は、電動２輪車１００に対して取り外し可能に固定されていてもよいし、電動２輪車１００に対して取り外し不能に設けられていてもよい。バッテリ装置１２０の充電は、ベースに設けられた充電設備で行われてもよい。また、バッテリ装置１２０が電動２輪車１００に対して取り外し可能な場合には、バッテリ装置１２０をバッテリステーションで充電済みのバッテリ装置と交換してもよい。
【０１０４】
電動２輪車１００は、パワーユニット１０６等の駆動を制御する制御装置１３０を有する。制御装置１３０は、バッテリ装置１２０の充電量も検出可能に構成されている。制御装置１３０は、図示しない接続端子に給電装置の充電ケーブルが接続された際に、バッテリ装置１２０の充電量を充電量信号として出力する。なお、前記接続端子に、前記充電ケーブルではなく、通信回線２に対して信号の送受信可能に接続された接続ケーブルが接続された場合にも、制御装置１３０は、バッテリ装置１２０の充電量を充電量信号として出力する。
【０１０５】
前記給電装置は、通信回線２を介して動力源付きリーン車両用シェアリング管理装置１と通信可能である。これにより、上述のように、制御装置１３０から出力された充電量信号は、前記給電装置及び通信回線２を介して、動力源付きリーン車両用シェアリング管理装置１に入力される。よって、動力源付きリーン車両用シェアリング管理装置１は、電動２輪車１００のバッテリ装置１２０の充電量に関する情報を取得することができる。
【０１０６】
（電動アシスト自転車）
図３に示すように、電動アシスト自転車２００は、車体２０１と、前輪２０２と、後輪２０３とを有する。車体２０１は、ハンドル２０４、サドル２０５及びパワーユニット２０６等の各構成部品を支持する。車体２０１は、フレーム２１０を有する。このフレーム２１０が、ハンドル２０４、サドル２０５及びパワーユニット２０６等の各構成部品を支持する。
【０１０７】
フレーム２１０は、ヘッドパイプ２１１と、メインフレーム２１２とを有する。
【０１０８】
ヘッドパイプ２１１は、電動アシスト自転車２００の前部に位置し、ハンドル２０４に接続されたステアリングシャフト（図示省略）を回転可能に支持する。メインフレーム２１２は、ヘッドパイプ２１１から車両後方に向かって延びるように、ヘッドパイプ２１１に接続されている。メインフレーム２１２は、動力源であるモータ２０６ａを含むパワーユニット２０６等を支持する。
【０１０９】
前記ステアリングシャフトの下端部には、一対のフロントフォーク２０７が接続されている。一対のフロントフォーク２０７の下端部には、前輪２０２が回転可能に支持されている。これにより、ハンドル２０４を操作することにより、ステアリングシャフト及び一対のフロントフォーク２０７が前記ステアリングシャフトを中心として一体に回転するため、前輪２０２も前記ステアリングシャフトを中心として回転する。
【０１１０】
後輪２０３は、メインフレーム２１２の後部に回転可能に支持されている。メインフレーム２１２には、後輪２０３を回転させる駆動機構２０８が設けられている。駆動機構２０８は、ペダル、駆動スプロケット及びチェーンなどの自転車と同様の構成を含むとともに、ユーザのペダルに入力される踏力をアシストするパワーユニット２０６を有する。パワーユニット２０６は、ユーザのペダル踏力をアシストするモータ２０６ａを有する。
【０１１１】
また、本実施形態の電動アシスト自転車２００は、パワーユニット２０６のモータ２０６ａに電力を供給するバッテリ装置２２０を有する。バッテリ装置２２０は、図示しない接続端子に、給電装置の充電ケーブルを接続することにより、充電が可能である。なお、バッテリ装置２２０は、電動アシスト自転車２００に対して取り外し不能に固定されていてもよいし、電動アシスト自転車２００に対して取り外し可能に設けられていてもよい。
【０１１２】
電動アシスト自転車２００は、パワーユニット２０６等の駆動を制御する制御装置２３０を有する。制御装置２３０は、バッテリ装置２２０の充電量も検出可能に構成されている。制御装置２３０は、図示しない接続端子に給電装置の充電ケーブルが接続された際に、バッテリ装置２２０の充電量を充電量信号として出力する。これにより、上述のように、制御装置２３０から出力された充電量信号は、前記給電装置及び通信回線２を介して、動力源付きリーン車両用シェアリング管理装置１に入力される。よって、動力源付きリーン車両用シェアリング管理装置１は、電動アシスト自転車２００のバッテリ装置２２０の充電量に関する情報を取得することができる。
【０１１３】
なお、前記接続端子に、前記充電ケーブルではなく、通信回線２に対して信号の送受信可能に接続された接続ケーブルが接続された場合にも、制御装置２３０は、バッテリ装置２２０の充電量を充電量信号として出力する。
【０１１４】
（自動２輪車）
図４に示すように、自動２輪車３００は、車体３０１と、前輪３０２と、後輪３０３とを有する。車体３０１は、ハンドル３０４、シート３０５及びパワーユニット３０６等の各構成部品を支持する。車体３０１は、フレーム３１０を有する。このフレーム３１０が、ハンドル３０４、シート３０５及びパワーユニット３０６等の各構成部品を支持する。
【０１１５】
フレーム３１０は、ヘッドパイプ３１１と、メインフレーム３１２とを有する。
【０１１６】
ヘッドパイプ３１１は、自動２輪車３００の前部に位置し、ハンドル３０４に接続されたステアリングシャフト（図示省略）を回転可能に支持する。メインフレーム３１２は、ヘッドパイプ３１１から車両後方に向かって延びるように、ヘッドパイプ３１１に接続されている。メインフレーム３１２は、動力源であるエンジン３０６ａを含むパワーユニット３０６等を支持する。
【０１１７】
前記ステアリングシャフトの下端部には、一対のフロントフォーク３０７が接続されている。一対のフロントフォーク３０７の下端部には、前輪３０２が回転可能に支持されている。これにより、ハンドル３０４を操作することにより、ステアリングシャフト及び一対のフロントフォーク３０７が前記ステアリングシャフトを中心として一体に回転するため、前輪３０２も前記ステアリングシャフトを中心として回転する。
【０１１８】
後輪３０３は、メインフレーム３１２に回転可能に支持されたパワーユニット３０６に対して回転可能に支持されている。パワーユニット３０６は、後輪３０３を回転させる駆動力を生じるエンジン３０６ａを有する。
【０１１９】
また、本実施形態の自動２輪車３００は、パワーユニット３０６のエンジン３０６ａに供給する燃料を貯留する燃料タンク３２０を有する。さらに、自動２輪車３００は、パワーユニット３０６等の駆動を制御する制御装置３３０を有する。制御装置３３０は、燃料タンク３２０の燃料残量も検出可能に構成されている。制御装置３３０は、図示しない接続端子に接続ケーブルが接続された際に、燃料タンク３２０の燃料残量を燃料残量信号として出力する。これにより、制御装置３３０から出力された燃料残量信号は、通信回線２を介して、動力源付きリーン車両用シェアリング管理装置１に入力される。よって、動力源付きリーン車両用シェアリング管理装置１は、自動２輪車３００の燃料タンク３２０の燃料残量に関する情報を取得することができる。
【０１２０】
以下では、上述の構成を有する電動２輪車１００、電動アシスト自転車２００及び自動２輪車３００を含む動力源付きリーン車両を、動力源付きリーン車両１００，２００，３００として説明する。
【０１２１】
（動力源付きリーン車両用シェアリング管理装置）
次に、図１を用いて、動力源付きリーン車両用シェアリング管理装置１の構成について説明する。
【０１２２】
動力源付きリーン車両用シェアリング管理装置１は、複数のユーザによる動力源付きリーン車両１００，２００，３００のシェアリングを管理する装置である。動力源付きリーン車両用シェアリング管理装置１は、例えばサーバによって構成され、通信回線２を介して外部の機器（例えばユーザの携帯端末３など）と通信可能に接続されている。これにより、動力源付きリーン車両用シェアリング管理装置１は、外部の機器との間でデータの送受信を行うことができる。
【０１２３】
なお、ユーザの携帯端末３は、ユーザが入力可能で且つ情報を表示可能な表示画面を有し、通信回線２を介して外部と通信可能な機器を含む。携帯端末３は、例えば携帯電話、スマートフォン、タブレット、ＰＣなどを含む。
【０１２４】
動力源付きリーン車両用シェアリング管理装置１は、ベースＸ１〜Ｘ３に駐車されている動力源付きリーン車両１００，２００，３００に関する車両情報を、通信回線２を介して取得する。すなわち、ベースＸ１〜Ｘ３に駐車された動力源付きリーン車両１００，２００，３００の図示しない接続端子に、充電ケーブルまたは接続ケーブルが接続された際に、動力源付きリーン車両用シェアリング管理装置１は、動力源付きリーン車両１００，２００，３００に関する車両情報を、通信回線２を介して取得する。なお、動力源付きリーン車両用シェアリング管理装置１は、ベースＸ１〜Ｘ３に駐車されている動力源付きリーン車両１００，２００，３００に関する車両情報を、所定のタイミングで取得する。
【０１２５】
また、動力源付きリーン車両用シェアリング管理装置１は、前記車両情報に基づいて、動力源付きリーン車両１００，２００，３００が駐車されているベースＸ１〜Ｘ３及び動力源付きリーン車両１００，２００，３００の車両状態を把握するとともに、動力源付きリーン車両１００，２００，３００の走行可能距離（航続距離）を算出する。
【０１２６】
また、動力源付きリーン車両用シェアリング管理装置１は、ユーザが動力源付きリーン車両を単発利用する際に、ユーザの携帯端末３に入力されたユーザ単発利用要望情報を、通信回線２を介して受信する。
【０１２７】
また、動力源付きリーン車両用シェアリング管理装置１は、前記ユーザ単発利用要望情報に基づいて、最大航続距離、最高速度、最高出力及び最大トルクの少なくとも一つが異なる仕様である複数種類の動力源付きリーン車両１００，２００，３００の中から利用可能な動力源付きリーン車両の種類を抽出する。さらに、動力源付きリーン車両用シェアリング管理装置１は、抽出した利用可能な動力源付きリーン車両１００，２００，３００の種類と、該抽出された種類の動力源付きリーン車両が駐車されているベースに関する情報と、前記動力源付きリーン車両の車両利用料金との組み合わせを含む、動力源付きリーン車両種類−ベース関連情報を、複数、生成する。
【０１２８】
なお、動力源付きリーン車両種類−ベース関連情報は、車両利用料金を含まない情報であってもよい。この場合、動力源付きリーン車両用シェアリング管理装置１は、前記抽出した利用可能な動力源付きリーン車両１００，２００，３００の種類と、該抽出された種類の動力源付きリーン車両が駐車されているベースに関する情報とを少なくとも含む動力源付きリーン車両種類−ベース関連情報を、複数、生成する。
【０１２９】
また、動力源付きリーン車両用シェアリング管理装置１は、前記複数の動力源付きリーン車両種類−ベース関連情報を、外部の機器（例えばユーザの携帯端末３）に出力する。ユーザの携帯端末３は、前記複数の動力源付きリーン車両種類−ベース関連情報を表示する。
【０１３０】
また、動力源付きリーン車両用シェアリング管理装置１は、ユーザが携帯端末３に表示された前記複数の動力源付きリーン車両種類−ベース関連情報の中から一つを選択した場合に、通信回線２を介して、その選択された動力源付きリーン車両種類−ベース関連情報を選択情報として取得する。
【０１３１】
また、動力源付きリーン車両用シェアリング管理装置１は、前記選択情報に基づいて、動力源付きリーン車両単発予約情報を生成する。すなわち、動力源付きリーン車両用シェアリング管理装置１は、ユーザの単発利用の予約を受け付けて、所定の動力源付きリーン車両に対するユーザの予約を確定する。なお、動力源付きリーン車両用シェアリング管理装置１は、前記所定の動力源付きリーン車両の利用可能時間において、前記ユーザが予約した時間帯を除いて、他の予約を受け付ける。
【０１３２】
また、動力源付きリーン車両用シェアリング管理装置１は、前記生成した動力源付きリーン車両単発予約情報を、通信回線２を介して、外部機器（例えばユーザの携帯端末３）に出力する。ユーザの携帯端末３は、前記動力源付きリーン車両単発予約情報を表示して、ユーザに動力源付きリーン車両の予約が完了した旨を通知する。
【０１３３】
以下で、図１、図５から図７を用いて、動力源付きリーン車両用シェアリング管理装置１の具体的な構成を説明する。図５は、ユーザの携帯端末におけるユーザ単発利用要望情報の表示の一例を示す図である。図６は、ユーザの携帯端末における動力源付きリーン車両種類−ベース関連情報の一例を示す図である。図７は、動力源付きリーン車両のシェアリングの一例を示す図である。
【０１３４】
動力源付きリーン車両用シェアリング管理装置１は、動力源付きリーン車両情報取得部１１と、動力源付きリーン車両管理部１２と、ユーザ単発利用要望情報取得部１３と、動力源付きリーン車両種類−ベース関連情報生成部１４と、動力源付きリーン車両種類−ベース関連情報出力部１５と、選択情報取得部１６と、動力源付きリーン車両単発予約情報生成部１７と、動力源付きリーン車両単発予約情報出力部１８とを有する。
【０１３５】
動力源付きリーン車両情報取得部１１は、ベースＸ１〜Ｘ３に駐車されている動力源付きリーン車両１００，２００，３００に関する車両情報を、通信回線２を介して取得する。これにより、動力源付きリーン車両用シェアリング管理装置１は、ベースＸ１〜Ｘ３に駐車されている動力源付きリーン車両１００，２００，３００の車両状態（エネルギー残量、故障の有無等）を把握することができる。
【０１３６】
動力源付きリーン車両管理部１２は、動力源付きリーン車両情報取得部１１で取得した車両情報に基づいて、例えば、各動力源付きリーン車両１００，２００，３００のＩＤ、各動力源付きリーン車両１００，２００，３００が駐車されているベースの位置、各動力源付きリーン車両１００，２００，３００の車両状態を把握する。動力源付きリーン車両管理部１２は、前記把握した情報に基づいて、動力源付きリーン車両１００，２００，３００の走行可能距離（航続距離）を算出する。また、動力源付きリーン車両管理部１２は、各動力源付きリーン車両１００，２００，３００のＩＤと紐づけて、各動力源付きリーン車両１００，２００，３００の予約状況及びタイムスケジュールを管理する。
【０１３７】
ユーザ単発利用要望情報取得部１３は、ユーザの携帯端末３に入力されたユーザ単発利用要望情報を、通信回線２を介して取得する。ユーザが動力源付きリーン車両を単発利用する際に、例えば図５に示すように、携帯端末３に利用開始日時、利用開始場所及び利用終了場所の情報を入力した場合、携帯端末３から、通信回線２を介して、ユーザ単発利用要望情報取得部１３にデータが送信される。なお、図５において、符号１００１は利用開始場所の情報を示し、符号１００２は利用終了場所の情報を示し、符号１００３は利用開始日時の情報を示す。
【０１３８】
ユーザ単発利用要望情報取得部１３は、送信されたデータのうち、ユーザの単発利用に関するユーザ単発利用要望情報を取得する。具体的には、ユーザ単発利用要望情報取得部１３は、動力源付きリーン車両の利用開始場所に関する情報と、該利用開始場所から利用終了場所までの移動距離に関する情報とを含む情報を、前記ユーザ単発利用要望情報として取得する。
【０１３９】
前記利用開始場所は、動力源付きリーン車両の利用を開始するベースだけでなく、ユーザの現在地または移動開始場所も含む。また、前記利用開始場所は、一つのベースだけでなく、互いに距離が近い複数のベースも含む。
【０１４０】
本実施形態では、前記利用開始場所は、ユーザが動力源付きリーン車両１００，２００，３００に乗車する乗車場所である。なお、前記利用開始場所は、ユーザの現在地または移動開始場所であってもよい。
【０１４１】
前記利用終了場所は、動力源付きリーン車両の利用を終了するベースだけでなく、ユーザの目的地も含む。また、前記利用終了場所は、一つのベースだけでなく、互いに距離が近い複数のベースも含む。
【０１４２】
本実施形態では、前記利用終了場所は、ユーザが動力源付きリーン車両１００，２００，３００から降車する降車場所である。なお、前記利用終了場所は、ユーザの目的地であってもよい。
【０１４３】
前記移動距離は、前記利用開始場所から前記利用終了場所までの距離であり、計算またはテーブルによって求められる。すなわち、前記移動距離は、利用終了場所と利用開始場所との距離、利用時間と動力源付きリーン車両の速度（例えば法定速度）との積、実際の移動距離等によって求められる。よって、前記ユーザ単発利用要望情報は、前記移動距離に関する情報として、利用終了場所に関する情報、利用時間に関する情報及び移動距離を直接示す値（直接的な移動距離）の少なくとも一つを含む。
【０１４４】
なお、ユーザが動力源付きリーン車両１００，２００，３００を単発利用する際に、ユーザが携帯端末３に入力する情報は、希望する動力源付きリーン車両１００，２００，３００の種類に関する情報、利用終了予定時間に関する情報、利用開始場所から利用終了場所までの移動の速さに関する情報（最も速く移動を希望など）、動力源付きリーン車両１００，２００，３００の車両利用料金に関する情報（最も安い料金を希望など）等を含んでもよい。
【０１４５】
前記ユーザ単発利用要望情報は、動力源付きリーン車両１００，２００，３００の利用開始日時または利用終了場所に関する情報も含んでいてもよい。
【０１４６】
このように前記ユーザ単発利用要望情報に動力源付きリーン車両の利用終了場所を含むことにより、ユーザが動力源付きリーン車両１００，２００，３００を単発利用する際に、前記利用終了場所の情報も含めた前記ユーザ単発利用要望情報に基づいて、動力源付きリーン車両種類−ベース関連情報を生成して出力することができる。すなわち、利用終了場所を考慮して、シェアリングのユーザに最適な動力源付きリーン車両を提案することができる。
【０１４７】
動力源付きリーン車両種類−ベース関連情報生成部１４は、前記ユーザ単発利用要望情報に基づいて、最大航続距離、最高速度、最高出力及び最大トルクの少なくとも一つが異なる仕様である複数種類の動力源付きリーン車両１００，２００，３００の中から利用可能な動力源付きリーン車両の種類を抽出する。また、動力源付きリーン車両種類−ベース関連情報生成部１４は、抽出した利用可能な動力源付きリーン車両の種類と、該抽出された種類の動力源付きリーン車両が駐車されているベースに関する情報と、前記動力源付きリーン車両の車両利用料金との組み合わせを含む、動力源付きリーン車両種類−ベース関連情報を、複数、生成する。
【０１４８】
すなわち、動力源付きリーン車両種類−ベース関連情報生成部１４は、ユーザが利用開始場所から利用終了場所まで到達するために利用可能な動力源付きリーン車両１００，２００，３００の種類と、その種類の動力源付きリーン車両が駐車されているベースに関する情報及び車両利用料金との組み合わせを、動力源付きリーン車両種類−ベース関連情報として、複数パターン、生成する。
【０１４９】
なお、動力源付きリーン車両種類−ベース関連情報生成部１４は、前記情報の組み合わせに、動力源付きリーン車両の利用終了場所に関する情報、移動する際の経路に関する情報、利用開始場所から利用終了場所までの所要時間に関する情報、返却予定時刻に関する情報等を含むように、前記動力源付きリーン車両種類−ベース関連情報を生成してもよい。
【０１５０】
上述のように前記動力源付きリーン車両種類−ベース関連情報に前記所要時間に関する情報を含むことにより、ユーザに対し、前記所要時間に関する情報も提供することができる。よって、ユーザは、前記所要時間も考慮して、動力源付きリーン車両を選択することが可能になる。したがって、ユーザの利便性を向上できる。
【０１５１】
また、動力源付きリーン車両種類−ベース関連情報生成部１４は、動力源付きリーン車両１００，２００，３００の返却予定時刻に加えて、延長可能時間に関する情報も含む動力源付きリーン車両種類−ベース関連情報を生成してもよい。この場合、動力源付きリーン車両種類−ベース関連情報生成部１４は、ユーザ単発利用要望情報に含まれる予約日時と単発利用場所情報から求められる所要時間とが、動力源付きリーン車両管理部１２によって管理されている動力源付きリーン車両１００，２００，３００のタイムスケジュールの情報において該動力源付きリーン車両１００，２００，３００を貸し出し可能な時間内であれば、前記ユーザ単発利用要望情報に応じて返却予定時刻も含む前記動力源付きリーン車両種類−ベース関連情報を生成する。また、動力源付きリーン車両種類−ベース関連情報生成部１４は、前記タイムスケジュールから、延長可能な時間も含む前記動力源付きリーン車両種類−ベース関連情報を生成する。
【０１５２】
動力源付きリーン車両種類−ベース関連情報生成部１４は、複数のベースに駐車されている動力源付きリーン車両１００，２００，３００を、ユーザの予約状況等に応じて再配置するように、最大航続距離、最高速度、最高出力及び最大トルクの少なくとも一つが異なる仕様である複数種類の動力源付きリーン車両１００，２００，３００の中から利用可能な動力源付きリーン車両の種類を抽出してもよい。すなわち、動力源付きリーン車両種類−ベース関連情報生成部１４は、複数のベースにおいて、最大航続距離、最高速度、最高出力及び最大トルクの少なくとも一つが異なる仕様である複数種類の動力源付きリーン車両１００，２００，３００の配置台数を調整するように、抽出する動力源付きリーン車両の種類及び車両使用料を組み合わせてもよい。例えば、動力源付きリーン車両種類−ベース関連情報生成部１４は、ベース間を移動させたい種類の動力源付きリーン車両の車両使用料を安くしてもよい。
【０１５３】
また、動力源付きリーン車両種類−ベース関連情報生成部１４は、利用終了場所まで到達できないような充電量が少ない電動車両（電動２輪車１００、電動アシスト自転車２００）、または燃料残量が少ない自動２輪車３００を、ユーザが利用開始場所から利用終了場所までの経路上で乗り継ぎとして利用するように、抽出してもよい。さらに、動力源付きリーン車両種類−ベース関連情報生成部１４は、異なる種類の動力源付きリーン車両１００，２００，３００を乗り継ぐように、動力源付きリーン車両１００，２００，３００を抽出してもよい。
【０１５４】
この場合には、動力源付きリーン車両種類−ベース関連情報生成部１４は、図６に経路Ｂで示すように、利用開始場所（図中の“〇〇〇”）から利用終了場所（図中の“△△△”）までの途中で乗り継ぎ場所（図中の“×××”）を指定するように、動力源付きリーン車両種類−ベース関連情報を生成する。なお、前記乗り継ぎ場所は、動力源付きリーン車両を乗り継ぐ場所を意味する。また、前記乗り継ぎ場所は、一つのベースだけでなく、互いに距離が近い複数のベースも含む。
【０１５５】
なお、上記の場合、動力源付きリーン車両種類−ベース関連情報生成部１４は、前記充電量が少ない電動２輪車１００または電動アシスト自転車２００の車両利用料金を、利用終了場所まで到達可能な充電量を有する電動２輪車１００及び電動アシスト自転車２００の車両利用料金よりも安く設定してもよい。また、動力源付きリーン車両種類−ベース関連情報生成部１４は、前記燃料残量が少ない自動２輪車３００の車両利用料金を、利用終了場所まで到達可能な燃料残量を有する自動２輪車３００の車両利用料金よりも安く設定してもよい。
【０１５６】
上述のように動力源付きリーン車両がモータ及びバッテリ装置を有する電動車両の場合、前記バッテリ装置の充電量は車両ごとに異なる。また、上述のように動力源付きリーン車両がエンジンを有する自動２輪車の場合、燃料タンクの燃料残量は車両ごとに異なる。よって、バッテリ装置の充電量または燃料タンクの燃料残量が異なる動力源付きリーン車両の中から、ユーザ単発利用要望情報に応じてユーザに適した動力源付きリーン車両を提案することができる。よって、複数の動力源付きリーン車両を効率良く運用することができる。
【０１５７】
また、バッテリ装置の充電量または燃料タンクの燃料残量に応じてシェアリングのユーザの費用負担を変更することにより、ユーザの費用負担を軽減することも可能である。
【０１５８】
動力源付きリーン車両種類−ベース関連情報出力部１５は、動力源付きリーン車両種類−ベース関連情報生成部１４で生成された前記動力源付きリーン車両種類−ベース関連情報を、通信回線２を介してユーザの携帯端末３に出力する。ユーザの携帯端末３は、動力源付きリーン車両種類−ベース関連情報出力部１５から出力された前記動力源付きリーン車両種類−ベース関連情報を画面に表示する。携帯端末３における前記動力源付きリーン車両種類関連情報の表示例を図６に示す。図６の表示例を、動力源付きリーン車両用シェアリング管理装置１の構成とともに、図１１に示す。なお、この図１１では、動力源付きリーン車両用シェアリング管理装置１を簡略化して示す。
【０１５９】
選択情報取得部１６は、ユーザが携帯端末３に表示された前記複数の動力源付きリーン車両種類−ベース関連情報の中から一つを選択した場合に、通信回線２を介して、選択された動力源付きリーン車両種類−ベース関連情報を選択情報として取得する。
【０１６０】
動力源付きリーン車両単発予約情報生成部１７は、前記選択情報に基づいて、動力源付きリーン車両単発予約情報を生成する。すなわち、動力源付きリーン車両用シェアリング管理装置１は、ユーザの単発利用の予約を受け付けて、ユーザによる所定の動力源付きリーン車両の予約を確定する。
【０１６１】
動力源付きリーン車両単発予約情報出力部１８は、前記生成した動力源付きリーン車両単発予約情報を、通信回線２を介して、ユーザの携帯端末３に出力する。ユーザの携帯端末３は、前記動力源付きリーン車両単発予約情報を表示して、ユーザに動力源付きリーン車両の予約が完了した旨を通知する。
【０１６２】
ユーザが動力源付きリーン車両を単発利用する際に、動力源付きリーン車両のシェアリングを行う様子を図７に示す。なお、図７に示す例では、ユーザの利用開始場所はベースＸ１であり、利用終了場所はベースＸ２である。ベースＸ３は、利用開始場所と利用終了場所との間に位置する乗り継ぎ場所である。
【０１６３】
図７において、ユーザが利用開始場所から利用終了場所まで動力源付きリーン車両のシェアリングで移動する場合、例えば、利用開始場所のベースＸ１から利用終了場所のベースＸ２まで直接移動するケースと、利用開始場所のベースＸ１から乗り継ぎ場所のベースＸ３を経由して利用終了場所のベースＸ２まで移動するケースとがある。なお、乗り継ぎ場所のベースＸ３を経由する場合には、ベースＸ３にユーザが乗り換えるための動力源付きリーン車両が駐車されていることが必要である。
【０１６４】
図６に示す動力源付きリーン車両種類−ベース関連情報の候補Ａ〜Ｄにおける各経路は、図７に示す経路Ａ〜Ｄにそれぞれ対応する。動力源付きリーン車両種類−ベース関連情報生成部１４は、電動２輪車１００、電動アシスト自転車２００または自動２輪車３００の再配置等を考慮して、それぞれ、候補Ａ〜Ｄとしての動力源付きリーン車両種類−ベース関連情報を生成する。
【０１６５】
なお、図６において、符号１０１０は動力源付きリーン車両種類−ベース関連情報を示す。また、符号１０１１，１０２１，１０３１，１０４１は、それぞれ、候補Ａ〜候補Ｄの情報を示す。符号１０１２は、候補Ａにおける車種等の情報を示し、符号１０２２は、候補Ｂにおける車種等の情報を示す。符号１０３２は、候補Ｃにおける車種等の情報を示す。符号１０４２は、候補Ｄにおける車種等の情報を示す。符号１０１３，１０２３，１０３３，１０４３は、それぞれ、各候補における乗車場所のベース及び降車場所のベースの情報（名称など）を示す。符号１０１４，１０２４，１０３４，１０４４は、各候補における移動距離及び移動時間の情報を示す。符号１０１５，１０２５，１０３５，１０４５は、各候補における車両利用料金等の情報を示す。
【０１６６】
（動力源付きリーン車両用シェアリング管理方法）
次に、動力源付きリーン車両１００，２００，３００のシェアリングの管理方法を、図８を用いて説明する。図８は、動力源付きリーン車両用シェアリング管理方法を示すフローチャートである。なお、以下では、図７に示すシェアリングの例を用いて説明する。
【０１６７】
図８に示すフローがスタートすると（スタート）、まず、動力源付きリーン車両用シェアリング管理装置１の動力源付きリーン車両情報取得部１１が、ベースＸ１〜Ｘ３に駐車され且つ図示しない接続端子に充電ケーブルまたは接続ケーブルが接続された動力源付きリーン車両１００，２００，３００に関する車両情報を、通信回線２を介して取得する（ステップＳ１）。
【０１６８】
前記車両情報は、例えば、動力源付きリーン車両１００，２００，３００のＩＤ（車両を特定する識別番号）、充電量に関する情報、車両状態（故障、走行距離など）に関する情報等を含む。
【０１６９】
ベースＸ１〜Ｘ３は、最大航続距離、最高速度、最高出力及び最大トルクの少なくとも一つが異なる仕様である複数の種類の動力源付きリーン車両が駐車可能なエリアを含む。
【０１７０】
続くステップＳ２で、動力源付きリーン車両管理部１２が、動力源付きリーン車両１００，２００，３００の充電量に関する情報に基づいて、走行可能距離（航続距離）を算出する。算出された走行可能距離に関する情報は、動力源付きリーン車両１００，２００，３００のＩＤに対して割り当てられて、動力源付きリーン車両用シェアリング管理装置１の図示しない記憶装置に格納される。
【０１７１】
ユーザが例えば図５に示すように携帯端末３への入力によって単発利用を申し込むと、ステップＳ３で、動力源付きリーン車両用シェアリング管理装置１のユーザ単発利用要望情報取得部１３が、ユーザによって携帯端末３に入力されたユーザ単発利用要望情報を取得する。このユーザ単発利用要望情報は、ユーザの単発利用に関する情報であり、利用開始場所及び移動距離に関する情報を含む。
【０１７２】
なお、前記ユーザ単発利用要望情報は、動力源付きリーン車両１００，２００，３００の利用開始日時または利用終了場所に関する情報も含んでいてもよい。
【０１７３】
続くステップＳ４で、動力源付きリーン車両種類−ベース関連情報生成部１４が、前記ユーザ単発利用要望情報に基づいて、動力源付きリーン車両種類−ベース関連情報を複数、生成する。この動力源付きリーン車両種類−ベース関連情報は、最大航続距離、最高速度、最高出力及び最大トルクの少なくとも一つが異なる仕様である複数種類の動力源付きリーン車両１００，２００，３００の中から抽出された利用可能な動力源付きリーン車両の種類と、当該種類の動力源付きリーン車両が駐車されているベースに関する情報と、前記動力源付きリーン車両の車両利用料金との組み合わせを、含む。
【０１７４】
なお、前記動力源付きリーン車両種類−ベース関連情報は、前記利用開始場所から前記利用終了場所までの経路上に、動力源付きリーン車両１００，２００，３００の乗り継ぎ場所に関する情報を含んでもいてもよい。すなわち、ステップＳ４において、前記乗り継ぎ場所で、最大航続距離、最高速度、最高出力及び最大トルクの少なくとも一つが異なる仕様である複数種類の動力源付きリーン車両１００，２００，３００に乗り継ぐように、前記動力源付きリーン車両種類−ベース関連情報を生成してもよい。
【０１７５】
前記動力源付きリーン車両種類−ベース関連情報は、動力源付きリーン車両１００，２００，３００が前記利用開始場所から前記利用終了場所まで移動する際の所要時間に関する情報を含んでいてもよい。
【０１７６】
その後、ステップＳ５で、動力源付きリーン車両種類−ベース関連情報出力部１５が、通信回線２を介して、ユーザの携帯端末３に、複数の動力源付きリーン車両種類−ベース関連情報を出力する。ユーザの携帯端末３は、動力源付きリーン車両種類−ベース関連情報出力部１５から出力された複数の動力源付きリーン車両種類−ベース関連情報を、例えば図６に示すように表示する。
【０１７７】
ユーザが、携帯端末３に表示された複数の動力源付きリーン車両種類−ベース関連情報の中から一つを選択すると、ステップＳ６で、選択情報取得部１６が、通信回線２を介して携帯端末３から、ユーザが選択した情報を選択情報として取得する。
【０１７８】
選択情報取得部１６が前記選択情報を取得すると、ステップＳ７で、動力源付きリーン車両単発予約情報生成部１７が、前記選択情報に基づいて、動力源付きリーン車両単発予約情報を生成する。
【０１７９】
その後、ステップＳ８で、動力源付きリーン車両単発予約情報出力部１８が、前記生成した動力源付きリーン車両単発予約情報を、通信回線２を介して、ユーザの携帯端末３に出力する。ユーザの携帯端末３は、前記動力源付きリーン車両単発予約情報を表示して、ユーザに動力源付きリーン車両の予約が完了した旨を通知する。
【０１８０】
その後、このフローを終了する（エンド）。
【０１８１】
なお、動力源付きリーン車両種類−ベース関連情報生成部１４は、前記動力源付きリーン車両単発予約情報に基づいて、予約対象である動力源付きリーン車両１００，２００，３００の予約可能時間帯から前記ユーザが予約した時間帯を除いた時間帯を、新たな予約可能時間帯とする。動力源付きリーン車両用シェアリング管理装置１は、前記新たな予約可能時間帯において、他の予約を受け付ける。
【０１８２】
ここで、ステップＳ３が、ユーザ単発利用要望情報を取得するユーザ単発利用要望情報取得ステップに対応し、ステップＳ４が、動力源付きリーン車両種類−ベース関連情報を、複数、生成する動力源付きリーン車両種類−ベース関連情報生成ステップに対応し、ステップＳ５が、前記複数の動力源付きリーン車両種類−ベース関連情報を出力する動力源付きリーン車両種類−ベース関連情報出力ステップに対応する。
【０１８３】
本実施形態では、動力源付きリーン車両用シェアリング管理装置１は、ユーザが動力源付きリーン車両１００，２００，３００を単発利用する際に、一つのベースに複数台駐車可能な動力源付きリーン車両１００，２００，３００の利用開始時日時、利用開始場所及び移動距離に関する情報を含むとともに、ユーザの単発利用に関する情報であるユーザ単発利用要望情報を取得する。また、動力源付きリーン車両用シェアリング管理装置１は、前記ユーザ単発利用要望情報に基づいて、一つのベースに複数台駐車可能で且つ最大航続距離、最高速度、最高出力及び最大トルクの少なくとも一つが異なる仕様である複数種類の動力源付きリーン車両１００，２００，３００の中から抽出された利用可能な動力源付きリーン車両の種類と、前記利用可能な動力源付きリーン車両が駐車されているベースに関する情報と、前記利用可能な動力源付きリーン車両の車両利用料金との組み合わせを含む動力源付きリーン車両種類−ベース関連情報を、複数、生成する。さらに、動力源付きリーン車両用シェアリング管理装置１は、前記複数の動力源付きリーン車両種類−ベース関連情報を出力する。
【０１８４】
これにより、動力源付きリーン車両用シェアリング管理装置１は、ユーザが一つのベースに複数台駐車可能な動力源付きリーン車両１００，２００，３００を単発利用する際に、動力源付きリーン車両１００，２００，３００の利用開始場所及び移動距離に関する情報を含むユーザ単発利用要望情報に基づいて、複数の動力源付きリーン車両種類−ベース関連情報を出力することができる。前記動力源付きリーン車両種類−ベース関連情報は、最大航続距離、最高速度、最高出力及び最大トルクの少なくとも一つが異なる仕様である複数種類の動力源付きリーン車両１００，２００，３００の中から利用可能な動力源付きリーン車両の種類と、前記利用可能な動力源付きリーン車両が駐車されているベースに関する情報と、前記利用可能な動力源付きリーン車両の車両利用料金との組み合わせを含む。よって、ユーザに対して、一つのベースに複数台駐車可能で且つ最大航続距離、最高速度、最高出力及び最大トルクの少なくとも一つが異なる仕様である複数種類の動力源付きリーン車両のシェアリング１００，２００，３００を、ベースに関する情報及び車両利用料金とともに提案することができる。
【０１８５】
したがって、シェアリングで用いる動力源付きリーン車両を、長距離の動力源付きリーン車両で全て揃える必要がないため、動力源付きリーン車両の導入コストを低減できる。これにより、動力源付きリーン車両のシェアリングにおいて、ユーザが負担する費用を低減できる。
【０１８６】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【０１８７】
前記実施形態では、シェアリングの対象である動力源付きリーン車両は、電動２輪車１００、電動アシスト自転車２００及び自動２輪車３００である。しかしながら、シェアリングの対象である動力源付きリーン車両は、電動２輪車、電動アシスト自転車、自動２輪車、スクータ、傾斜姿勢で旋回する自動３輪車及び傾斜姿勢で旋回する自動４輪車のうち少なくとも２種類の車両を含んでいてもよい。
【０１８８】
シェアリングの対象である動力源付きリーン車両に、燃料の燃焼によって動力を得る車両（自動２輪車、スクータ、傾斜姿勢で旋回する自動３輪車及び傾斜姿勢で旋回する自動４輪車等）を含んでいる場合、動力源付きリーン車両種類−ベース関連情報生成部１４は、燃料残量に応じて、動力源付きリーン車両種類−ベース関連情報を生成してもよい。また、この場合には、動力源付きリーン車両種類−ベース関連情報生成部は、燃料タンク内の燃料残量が少ない動力源付きリーン車両を、利用開始場所から利用終了場所までの経路上で乗り継いで利用する動力源付きリーン車両種類−ベース関連情報を生成してもよい。
【０１８９】
前記実施形態では、ベースＸ１〜Ｘ３は、通信回線２を介して動力源付きリーン車両用シェアリング管理装置１と通信可能である。しかしながら、動力源付きリーン車両が、通信回線２を介して動力源付きリーン車両用シェアリング管理装置１と通信可能な通信装置を有していてもよい。
【０１９０】
前記実施形態では、動力源付きリーン車両のシェアリングの一例として、図７に示す例について説明した。しかしながら、動力源付きリーン車両のシェアリングは、図９及び図１０に示すような態様であってもよい。
【０１９１】
図９に示す例では、動力源付きリーン車両用シェアリング管理装置は、現在地（利用開始場所）に近いベースＸ１に駐車されている電動２輪車１００を利用して、利用終了場所であるベースＸ２まで移動する経路Ｃに関する情報を含む動力源付きリーン車両種類−ベース関連情報と、現在地に近いベースＸ４に駐車されている電動アシスト自転車２００を利用して、利用終了場所であるベースＸ２まで移動する経路Ｄに関する情報を含む動力源付きリーン車両種類−ベース関連情報とを生成する。
【０１９２】
具体的には、ユーザは、動力源付きリーン車両の利用開始日時、利用開始場所である現在地及び利用終了場所などの情報を携帯端末に入力して、動力源付きリーン車両の単発利用の申し込みを行う。動力源付きリーン車両用シェアリング管理装置は、ユーザの単発利用の申し込みによって携帯端末からユーザ単発利用要望情報を取得すると、ベースＸ１，Ｘ４に駐車されている電動２輪車１００及び電動アシスト自転車２００のうち、ベースＸ２まで移動可能な車両に関する情報と、該車両が駐車されているベースに関する情報と、前記車両の車両利用料金とを含む、動力源付きリーン車両種類−ベース関連情報を、複数、生成する。
【０１９３】
すなわち、図９の例のように乗車場所であるベースが複数、存在する場合には、動力源付きリーン車両種類−ベース関連情報は、動力源付きリーン車両の種類に関する情報だけでなく、利用開始場所から利用終了場所までの複数の経路（図９に示す例では、経路Ｃ，Ｄ）に関する情報も含む。
【０１９４】
なお、ベースＸ４も、既述のベースＸ１〜Ｘ３と同様、電動２輪車が複数台、駐車可能なエリアを含み、電動２輪車の接続端子に接続される図示しない接続ケーブルが設けられている。この接続ケーブルも、通信回線２に対して信号の送受信可能に接続されている。
【０１９５】
図１０に示す例では、動力源付きリーン車両用シェアリング管理装置は、利用開始場所であるベースＸ１に駐車されている電動２輪車１００を利用して、降車場所であるベースＸ２，Ｘ５まで移動する経路Ｅ，Ｆに関する情報を含む複数の動力源付きリーン車両種類−ベース関連情報を生成する。
【０１９６】
具体的には、ユーザは、動力源付きリーン車両の利用開始日時、利用開始場所及び利用終了場所などの情報を携帯端末に入力して、動力源付きリーン車両の単発利用の申し込みを行う。動力源付きリーン車両用シェアリング管理装置は、ユーザの単発利用の申し込みによって携帯端末からユーザ単発利用要望情報を取得すると、ベースＸ１に駐車されている動力源付きリーン車両１００，２００，３００のうち、ベースＸ２，Ｘ５まで移動可能な動力源付きリーン車両に関する情報と、ベースＸ１に関する情報と、前記動力源付きリーン車両の車両利用料金とを含む、動力源付きリーン車両種類−ベース関連情報を、複数、生成する。
【０１９７】
すなわち、図１０の例のように降車場所であるベースが複数、存在する場合には、動力源付きリーン車両種類−ベース関連情報は、動力源付きリーン車両の種類に関する情報だけでなく、利用開始場所から利用終了場所までの複数の経路（図１０に示す例では、経路Ｅ，Ｆ）に関する情報も含む。
【０１９８】
なお、ベースＸ５も、既述のベースＸ１〜Ｘ３と同様、電動２輪車が複数台、駐車可能なエリアを含み、電動２輪車の接続端子に接続される図示しない接続ケーブルが設けられている。この接続ケーブルも、通信回線２に対して信号の送受信可能に接続されている。
【０１９９】
図９及び図１０の例においても、ベースＸ１とベースＸ２との間の中継地点のベースで、動力源付きリーン車両を乗り継いでもよい。この場合にも、動力源付きリーン車両用シェアリング管理装置は、ベースＸ１からベースＸ２まで移動するための充電量または燃料残量を有しない動力源付きリーン車両を乗り継ぐような動力源付きリーン車両種類−ベース関連情報を生成してもよい。
【０２００】
また、動力源付きリーン車両用シェアリング管理装置は、利用開始場所として複数のベースを含むとともに、利用終了場所として複数のベースを含む動力源付きリーン車両種類−ベース関連情報を生成してもよい。
【０２０１】
前記実施形態では、ユーザが動力源付きリーン車両１００，２００，３００の単発利用を申し込む際に、ユーザは携帯端末３に利用終了場所を入力する。しかしながら、ユーザは利用終了場所を入力しなくてもよい。
【０２０２】
前記実施形態では、動力源付きリーン車両１００，２００，３００のシェアリングにおいて、ユーザが動力源付きリーン車両１００，２００，３００を単発利用する場合について説明した。しかしながら、動力源付きリーン車両のシェアリングにおいて、前記単発利用に、フリー利用、定期利用及び固定利用の少なくとも一つを組み合わせてもよい。
【０２０３】
なお、前記フリー利用とは、ユーザが動力源付きリーン車両を利用する際に、ユーザが利用開始場所及び利用開始時間のみを指定する利用方法である。すなわち、前記フリー利用では、利用終了場所及び利用終了時刻（または利用時間）の少なくとも一方を決めずに、動力源付きリーン車両を利用する。
【０２０４】
また、前記定期利用とは、ユーザが、１日のうち決められた時間帯に動力源付きリーン車両を所定期間、利用したい場合において、例えば月単位などの複数日分（所定期間分）をまとめて予約して利用する方法である。前記定期利用は、ユーザが動力源付きリーン車両によって利用開始場所から利用終了場所まで移動した場合に、利用時間が移動時間よりも長い利用方法である。
【０２０５】
また、前記固定利用とは、前記定期利用と同様、ユーザが、１日のうち決められた時間帯に動力源付きリーン車両を所定期間、利用したい場合において、例えば月単位などの複数日分（所定期間分）をまとめて予約して利用する方法である。前記固定利用は、ユーザが動力源付きリーン車両によって利用開始場所から利用終了場所まで移動した場合に、利用時間が移動時間と同等である点で、前記定期利用と相違する。
【０２０６】
なお、本発明は、動力源付きリーン車両用シェアリング管理装置を、様々な工夫がなされた給電装置と組み合わせることで、動力源付きリーン車両に対するエネルギーチャージの作業負荷をより軽減しつつ、動力源付きリーン車両の貸し出し頻度をより高くできる。例えば、前記様々な工夫がなされた給電装置は、特許文献１で提案された、ベースに設けられた非接触給電装置などを含む。
【０２０７】
発明者は、特許文献１のようなハードウェアでの視点ではなく、システム全体をエネルギーマネージメントの視点で検討する中で、上述とは異なる知見を得た。
【０２０８】
シェアリングに用いられる電動２輪車を含む動力源付きリーン車両のエネルギー残量は、動力源付きリーン車両を常時使用可能なように、高い状態で維持されるのが好ましい。そのため、前記動力源付きリーン車両のエネルギー残量を高い状態で維持するように、前記エネルギー残量を制御することが求められる。このようなエネルギー残量の制御は、制御装置の負荷が大きくなる場合がある。よって、前記エネルギー残量の制御の負荷を軽減することにより、前記動力源付きリーン車両のエネルギーマネージメントの効率化が求められている。
【０２０９】
本発明者は、動力源付きリーン車両のシェアリングにおける動力源付きリーン車両のエネルギーマネージメントの効率をより高めるために、動力源付きリーン車両の稼働状況を詳細に検討した。
【０２１０】
本発明者は、動力源付きリーン車両のシェアリングについて検討する中で、前記動力源付きリーン車両は、短距離から長距離を移動する際に利用されることを見出した。
【０２１１】
動力源付きリーン車両のシェアリングにおいて、動力源付きリーン車両は、動力源を有するため、動力源を有していない自転車よりも長距離の移動に利用される。また、動力源付きリーン車両は、４輪車に比べて車両の扱いが容易であるため、自転車と同様、短距離の移動にも利用される。このように、動力源付きリーン車両のシェアリングにおいて、動力源付きリーン車両は、短距離の移動から長距離の移動までの広い走行レンジで利用される。
【０２１２】
本発明者は、検討する中で、一般に行われている動力源付きリーン車両のシェアリングでは、短距離の移動から長距離の移動までの広い走行レンジをカバーするために、シェアリングで用いられる動力源付きリーン車両の種類を長距離移動可能な１種類にする、という技術思想に基づいていることに気付いた。
【０２１３】
一般的に、長距離移動可能な動力源付きリーン車両は、短距離移動用の動力源付きリーン車両に比べて、エネルギー量の搭載量が多い。そのため、前記長距離移動可能な動力源付きリーン車両は、短距離移動用の動力源付きリーン車両に比べて、重量が大きい。よって、前記長距離移動可能な動力源付きリーン車両を短距離の移動に利用した場合、前記長距離移動可能な動力源付きリーン車両は、短距離移動用の動力源付きリーン車両に比べて、単位走行距離当たりのエネルギーの消費率が大きい。したがって、前記長距離移動可能な動力源付きリーン車両のエネルギー残量は低下しやすい。
【０２１４】
前記長距離移動可能な動力源付きリーン車両は、長距離の移動に利用される場合があるため、エネルギー残量をできるだけ高い状態で維持させる必要がある。そのため、前記長距離移動可能な動力源付きリーン車両は、長距離の移動の利用に備えて、頻繁にエネルギーチャージする必要がある。これにより、前記長距離移動可能な動力源付きリーン車両のエネルギーチャージの頻度が高くなる。そのため、前記長距離移動可能な動力源付きリーン車両のエネルギー残量を制御する制御装置の負荷が増大する。
【０２１５】
そこで、本発明者は、従来の技術思想とは異なり、動力源付きリーン車両のシェアリングにおいて、単位走行距離当たりのエネルギー消費率が異なる仕様を有する複数種類の動力源付きリーン車両を用いる、という技術思想でのアプローチを試みた。
【０２１６】
本発明者は、検討を進める中で、単位走行距離当たりのエネルギー消費率が異なる仕様を有する動力源付きリーン車両には、最大航続距離が異なる動力源付きリーン車両、最高速度が異なる動力源付きリーン車両、最高出力または最大トルクが異なる動力源付きリーン車両などが含まれることに気付いた。
【０２１７】
前記最大航続距離が異なる動力源付きリーン車両は、最大エネルギー搭載量が異なるため、車両の総重量が異なる。動力源付きリーン車両は、そもそも軽量である。よって、上述のように前記最大航続距離が異なる動力源付きリーン車両の総重量が異なることにより、前記最大航続距離が異なる動力源付きリーン車両では、単位走行距離当たりのエネルギー消費率を大きく変えることができる。
【０２１８】
前記最高速度が異なる動力源付きリーン車両は、最高速度が異なるため、走行時の空気抵抗が異なる。また、動力源付きリーン車両は、運転者がキャビンで完全に覆われていないため、走行時の空気抵抗が大きい。よって、前記最高速度が異なる動力源付きリーン車両では、単位走行距離当たりのエネルギー消費率を大きく変えることができる。
【０２１９】
前記最高出力または最大トルクが異なる動力源付きリーン車両は、駆動源（モータ、エンジン、バッテリなど）の大きさが異なるため、車両の総重量が異なる。動力源付きリーン車両は、そもそも軽量である。よって、上述のように前記最高出力または最大トルクが異なる動力源付きリーン車両の総重量が異なることにより、前記最高出力または最大トルクが異なる動力源付きリーン車両では、単位走行距離当たりのエネルギー消費率を大きく変えることができる。
【０２２０】
また、動力源付きリーン車両は、出力またはトルクを制御することにより、出力またはトルクにおいてエネルギー利用効率の良い領域を使用することができる。また、動力源付きリーン車両はそもそも軽量であるため、動力源付きリーン車両の最高出力または最大トルクの変更が容易である。よって、最高出力または最大トルクが異なる動力源付きリーン車両を得やすい。このように得られた最高出力または最大トルクが異なる動力源付きリーン車両では、単位走行距離当たりのエネルギー消費率を大きく変えることができる。
【０２２１】
以上のように、本発明者は、最大航続距離が異なる動力源付きリーン車両、最高速度が異なる動力源付きリーン車両、または、最高出力または最大トルクが異なる動力源付きリーン車両によって、単位走行距離当たりのエネルギー消費率が異なる動力源付きリーン車両が得られることに気付いた。
【０２２２】
次に、本発明者は、上述のように単位走行距離当たりのエネルギー消費率が異なる複数種類の動力源付きリーン車両を、シェアリングで利用する方法について検討した。
【０２２３】
動力源付きリーン車両は、短距離の移動から長距離の移動までの広い走行レンジで利用される。そのため、本発明者は、長距離の移動に利用する仕様の動力源付きリーン車両と短距離の移動に利用する仕様の動力源付きリーン車両とを混在させるとともに、動力源付きリーン車両のエネルギー残量に関する情報と運転者が動力源付きリーン車両を利用したい距離に関する情報とに基づいて、複数の情報を生成することを思いついた。
【０２２４】
すなわち、本発明者は、最大航続距離、最高速度、最高出力及び最大トルクの少なくとも一つが異なる仕様である複数種類の動力源付きリーン車両のエネルギー残量に関連するエネルギー残量関連情報と、運転者が動力源付きリーン車両を利用したい距離に関する利用距離情報とに基づいて、単位走行距離当たりのエネルギー消費率を考慮した動力源付きリーン車両の種類に関する情報と該動力源付きリーン車両が駐車されているベースに関する情報とを含む複数の情報を生成して出力することを思いついた。
【０２２５】
これにより、運転者の動力源付きリーン車両の利用形態に合わせつつ、動力源付きリーン車両の単位走行可能距離当たりのエネルギー消費率を低減できる。よって、動力源付きリーン車両のエネルギー残量が低下しにくくなる。
【０２２６】
上述のように動力源付きリーン車両のエネルギー残量が低下しにくくなると、動力源付きリーン車両において、エネルギー残量を高い状態で維持する必要性が低下する。そうすると、動力源付きリーン車両に頻繁にエネルギー補給を行う必要がないため、エネルギー残量を制御する制御装置の負荷を軽減することができる。
【０２２７】
したがって、動力源付きリーン車両のエネルギー残量に関連するエネルギー残量関連情報を利用して、動力源付きリーン車両のエネルギーマネージメントを効率化することができる。
【０２２８】
以上の検討結果から、本発明者らは、以下のような構成に想到した。
【０２２９】
本発明の一実施形態に係る動力源付きリーン車両用エネルギー量制御装置は、複数のベースに駐車された動力源付きリーン車両のエネルギー量を制御する動力源付きリーン車両用エネルギー量制御装置である。前記動力源付きリーン車両用エネルギー量制御装置は、前記複数のベースに駐車され且つ最大航続距離、最高速度、最高出力及び最大トルクの少なくとも一つが異なる仕様である複数種類の動力源付きリーン車両のエネルギー残量に関連するエネルギー残量関連情報を取得するエネルギー残量関連情報取得部を有する。前記動力源付きリーン車両用エネルギー量制御装置は、前記複数のベースに駐車され且つ最大航続距離、最高速度、最高出力及び最大トルクの少なくとも一つが異なる仕様である複数種類の動力源付きリーン車両を、２４時間よりも短い時間で単発利用する際に、前記複数のベースに駐車され且つ最大航続距離、最高速度、最高出力及び最大トルクの少なくとも一つが異なる仕様である動力源付きリーン車両の利用開始場所に関する利用開始場所情報及び移動距離に関する情報である移動距離関連情報を含むとともに、単発利用に関する情報である単発利用要望情報（Ｏｎｅ−Ｏｆｆ  Ｕｓａｇｅ  Ｄｅｍａｎｄ  Ｄａｔａ）を取得する単発利用要望情報取得部を有する。前記動力源付きリーン車両用エネルギー量制御装置は、前記移動距離情報を含む前記単発利用要望情報及び前記エネルギー残量関連情報に基づいて、前記複数のベースに駐車され且つ最大航続距離、最高速度、最高出力及び最大トルクの少なくとも一つが異なる仕様である複数種類の動力源付きリーン車両の中から抽出された利用可能な動力源付きリーン車両の種類に関する動力源付きリーン車両種類情報と、前記抽出された利用可能な動力源付きリーン車両が駐車されているベースに関するベース情報とを少なくとも含む、動力源付きリーン車両種類−ベース関連情報を、複数、生成する動力源付きリーン車両種類−ベース関連情報生成部を有する。前記動力源付きリーン車両用エネルギー量制御装置は、前記複数の動力源付きリーン車両種類−ベース関連情報を出力する動力源付きリーン車両種類−ベース関連情報出力部を有する。
【０２３０】
動力源付きリーン車両は、動力源を有するため、動力源を有していない自転車よりも長距離の移動に利用できる。また、前記動力源付きリーン車両は、４輪車に比べて車両の扱いが容易であるため、自転車と同様、短距離の移動にも利用できる。このように、前記動力源付きリーン車両は、短距離から長距離の移動までの広い走行レンジで利用できる。
【０２３１】
また、前記動力源付きリーン車両は、４輪車と比較して、一つのベースに複数台駐車させることが容易にできる。そのため、例えば動力源付きリーン車両のシェアリングにおいて、一つのベースに複数台駐車可能で且つ最大航続距離、最高速度、最高出力及び最大トルクの少なくとも一つが異なる仕様である複数種類の動力源付きリーン車両を用いることができる。すなわち、運転者は、単位走行距離当たりのエネルギー消費率が異なる仕様である複数種類の動力源付きリーン車両を利用することができる。
【０２３２】
そして、上述の構成では、動力源付きリーン車両用エネルギー量制御装置は、利用開始場所情報及び移動距離情報を含む単発利用要望情報とエネルギー残量関連情報とに基づいて、動力源付きリーン車両種類情報及びベース情報を少なくとも含む動力源付きリーン車両種類−ベース関連情報を、複数、生成して出力することにより、運転者の動力源付きリーン車両の利用形態に合わせつつ、前記動力源付きリーン車両の単位走行可能距離当たりのエネルギー消費率を低減できる。
【０２３３】
よって、前記動力源付きリーン車両のエネルギー残量が低下しにくくなるため、前記動力源付きリーン車両のエネルギー残量を高い状態で維持する必要性が低下する。これにより、前記動力源付きリーン車両に頻繁にエネルギー補給を行う必要がなくなるため、前記動力源付きリーン車両のエネルギー残量を制御する動力源付きリーン車両用エネルギー量制御装置の負荷を軽減することができる。
【０２３４】
したがって、前記動力源付きリーン車両のエネルギー残量に関連するエネルギー残量関連情報を利用して、前記動力源付きリーン車両のエネルギーマネージメントを効率化可能な動力源付きリーン車両用エネルギー量制御装置を提供することができる。
【０２３５】
なお、動力源付きリーン車両の最大航続距離、最高速度、最高出力及び最大トルクの少なくとも一つが異なるというのは、例えば電動アシスト自転車、自動２輪車、電動２輪車などのように車両の形態がそもそも異なる場合であってもよい。
【０２３６】
動力源付きリーン車両の最大航続距離が異なるというのは、例えば、電動アシスト自転車及び電動２輪車などの電動車両の場合、シェアリングにおける車両導入時のバッテリ装置の最大充電量が異なる場合であってもよい。
【０２３７】
動力源付きリーン車両の最大航続距離が異なるというのは、エンジンが搭載された自動２輪車の場合、例えば、同じ仕様のエンジンにおいて、燃料タンクのタンク容量の大きさが異なる場合でもよい。また、最大航続距離が異なる動力源付きリーン車両は、燃料タンクのタンク容量は同じ大きさであるが、燃料消費率が異なる車両であってもよい。
【０２３８】
前記最大航続距離が異なる動力源付きリーン車両は、最大エネルギー搭載量が異なるため、車両の総重量が異なる。動力源付きリーン車両は、そもそも軽量である。よって、上述のように前記最大航続距離が異なる動力源付きリーン車両の総重量が異なることにより、前記最大航続距離が異なる動力源付きリーン車両では、単位走行距離当たりのエネルギー消費率を大きく変えることができる。
【０２３９】
最高速度、最高出力または最大トルクが異なるというのは、電動アシスト自転車及び電動２輪車などの電動車両の場合、例えば、モータの定格出力及び該モータの駆動制御の少なくとも一方が異なる場合であってもよい。
【０２４０】
最高速度、最高出力または最大トルクが異なるというのは、エンジンが搭載された自動２輪車の場合、例えば、エンジンの排気量、エンジンの形式、エンジン制御、変速機の形式及び変速機制御の少なくとも一つが異なる場合であってもよい。
【０２４１】
前記最高速度が異なる動力源付きリーン車両は、最高速度が異なるため、走行時の空気抵抗が異なる。また、動力源付きリーン車両は、運転者がキャビンで完全に覆われていないため、走行時の空気抵抗が大きい。よって、前記最高速度が異なる動力源付きリーン車両では、単位走行距離当たりのエネルギー消費率を大きく変えることができる。
【０２４２】
前記最高出力または最大トルクが異なる動力源付きリーン車両は、駆動源（モータ、エンジン、バッテリなど）の大きさが異なるため、車両の総重量が異なる。動力源付きリーン車両は、そもそも軽量である。よって、上述のように前記最高出力または最大トルクが異なる動力源付きリーン車両の総重量が異なることにより、前記最大航続距離が異なる動力源付きリーン車両では、単位走行距離当たりのエネルギー消費率を大きく変えることができる。
【０２４３】
また、動力源付きリーン車両は、出力またはトルクを制御することにより、出力またはトルクにおいてエネルギー利用効率の良い領域を使用することができる。また、動力源付きリーン車両はそもそも軽量であるため、動力源付きリーン車両の最高出力または最大トルクの変更が容易である。よって、最高出力または最大トルクが異なる動力源付きリーン車両を得やすい。このように得られた最高出力または最大トルクが異なる動力源付きリーン車両では、単位走行距離当たりのエネルギー消費率を大きく変えることができる。
【０２４４】
他の観点によれば、本発明の動力源付きリーン車両用エネルギー量制御装置は、以下の構成を含むことが好ましい。前記動力源付きリーン車両種類−ベース関連情報生成部で生成された前記動力源付きリーン車両種類−ベース関連情報は、最大航続距離、最高速度、最高出力及び最大トルクの少なくとも一つが異なる仕様である動力源付きリーン車両が複数種類、駐車可能なベースに関する情報を含む。
【０２４５】
これにより、ベースに駐車されている複数種類の動力源付きリーン車両の中から、単発利用要望情報及びエネルギー残量関連情報に応じた最適な種類の動力源付きリーン車両を運転者に提案できる。したがって、動力源付きリーン車両の種類を、最大航続距離、最高速度、最高出力及び最大トルクの少なくとも一つが異なる複数の種類にすることにより、動力源付きリーン車両における単位走行可能距離当たりのエネルギー消費率を低減することが可能になる。そのため、動力源付きリーン車両用エネルギー量制御装置の負荷を軽減することができ、動力源付きリーン車両のエネルギーマネージメントを効率化することができる。
【０２４６】
他の観点によれば、本発明の動力源付きリーン車両用エネルギー量制御装置は、以下の構成を含むことが好ましい。前記移動距離関連情報は、運転者が複数のベースに駐車され且つ最大航続距離、最高速度、最高出力及び最大トルクの少なくとも一つが異なる仕様である動力源付きリーン車両を単発利用する際に、前記複数のベースに駐車され且つ最大航続距離、最高速度、最高出力及び最大トルクの少なくとも一つが異なる仕様である動力源付きリーン車両の利用終了場所に関する利用終了場所情報、利用時間に関する利用時間情報及び移動距離を直接示す移動距離情報の少なくとも一つを含む。
【０２４７】
動力源付きリーン車両の移動距離は、利用終了場所と利用開始場所との距離、利用時間と動力源付きリーン車両の速度（例えば法定速度）との積、実際の移動距離等によって求めることができる。よって、移動距離関連情報として、上述の情報の少なくとも一つを含むことにより、前記動力源付きリーン車両の移動距離を求めることができる。よって、前記移動距離関連情報を考慮して動力源付きリーン車両種類−ベース関連情報を生成することにより、前記動力源付きリーン車両の移動距離を考慮した動力源付きリーン車両を提案することができる。したがって、運転者の動力源付きリーン車両の利用形態により合わせつつ、動力源付きリーン車両の単位走行可能距離当たりのエネルギー消費率を低減できる。
【０２４８】
他の観点によれば、本発明の動力源付きリーン車両用エネルギー量制御装置は、以下の構成を含むことが好ましい。前記動力源付きリーン車両種類−ベース関連情報は、前記利用開始場所から前記利用終了場所までの経路上に、前記複数のベースに駐車され且つ最大航続距離、最高速度、最高出力及び最大トルクの少なくとも一つが異なる仕様である動力源付きリーン車両の乗り継ぎ場所に関する情報も含む。
【０２４９】
このように、動力源付きリーン車両種類−ベース関連情報が、利用開始場所から利用終了場所までの経路上に、最大航続距離、最高速度、最高出力及び最大トルクの少なくとも一つが異なる仕様である動力源付きリーン車両の乗り継ぎ場所も含むことにより、運転者が選択可能で且つ単位走行距離当たりのエネルギー消費率を低減可能な動力源付きリーン車両の台数を増やすことが可能になる。
【０２５０】
したがって、上述の構成により、運転者の動力源付きリーン車両の利用形態に合わせつつ、動力源付きリーン車両の単位走行可能距離当たりのエネルギー消費率を低減できる。
【０２５１】
本発明の一実施形態によれば、動力源付きリーン車両のエネルギー残量に関連するエネルギー残量関連情報を利用して、動力源付きリーン車両のエネルギーマネージメントを効率化可能な動力源付きリーン車両用エネルギー量制御装置を提供することができる。
【０２５２】
［エネルギー残量］
本明細書において、エネルギー残量とは、動力源付きリーン車両が充電可能な二次電池を搭載している場合、その二次電池のエネルギーの残量である。より具体的には、前記エネルギー残量は、ＡｈまたはＷｈなどで表記される二次電池の残りの容量である。また、本明細書において、エネルギー残量とは、動力源付きリーン車両が化石燃料で駆動される駆動源を搭載している場合、その搭載されている燃料の残量である。より具体的には、前記エネルギー残量は、体積または重量などで表される燃料の残りの量である。前記燃料には、ガソリン、軽油、水素、ＬＮＧ、ＬＰＧまたはガス燃料などが含まれる。なお、前記エネルギーは、動力源付きリーン車両の駆動に必要なエネルギーであれば、上述の具体例に限定されない。また、動力源付きリーン車両の駆動源がエンジンとモータのハイブリッド式駆動源である場合、前記エネルギー残量は、二次電池の残量及び燃料の残量の両方を含む。なお、本明細書において、前記エネルギー残量とは、動力源付きリーン車両に残されている全てのエネルギー残量を示す場合がある。また、本明細書において、前記エネルギー残量とは、動力源付きリーン車両に残されているエネルギーのうち、消費可能なエネルギー残量を示す場合がある。
【０２５３】
［エネルギー残量関連情報］
本明細書において、エネルギー残量関連情報とは、上述のエネルギー残量を直接的に示す情報に限定されない。すなわち、前記エネルギー残量関連情報は、前記エネルギー残量の情報でなくてもよい。前記エネルギー残量関連情報は、例えば、車両が走行可能な時間または車両が走行可能な距離など、エネルギー残量と相関関係を示す情報であれば、エネルギー残量に対して間接的なパラメータの情報であっても良い。
【０２５４】
［エネルギーマネージメント］
本明細書において、エネルギーマネージメントとは、動力源付きリーン車両が駆動不能な状態まで動力源付きリーン車両のエネルギー残量が低下しないように、エネルギー残量を調整することを意味する。前記エネルギーマネージメントは、動力源付きリーン車両のエネルギー残量及び移動距離に応じて、動力源付きリーン車両を使い分けたり、動力源付きリーン車両にエネルギーチャージを行ったりすることなどを含む。
【０２５５】
前記エネルギーマネージメントでは、例えば、複数の動力源付きリーン車両において短距離の移動が多い場合には、各動力源付きリーン車両でバランスよくエネルギーを消費するように、前記複数の動力源付きリーン車両の稼働を調整する一方、前記複数の動力源付きリーン車両において中距離または長距離の移動が多い場合には、エネルギー残量が異なる動力源付きリーン車両を稼働させる。
【０２５６】
また、前記エネルギーマネージメントでは、動力源付きリーン車両が駐車可能な複数のベースにおいて、動力源付きリーン車両にエネルギーチャージ可能なベースと、動力源付きリーン車両にエネルギーチャージ不能なベースとが混在している場合、エネルギーチャージが必要な動力源付きリーン車両を、動力源付きリーン車両にエネルギーチャージ可能なベースに優先して駐車させるように、複数の動力源付きリーン車両の稼働を調整する。
【０２５７】
また、前記エネルギーマネージメントでは、複数の動力源付きリーン車両に対するエネルギーチャージのタイミングを、前記複数の動力源付きリーン車両の稼働とのバランスを考慮しつつ、調整する。
【０２５８】
上述のように、前記エネルギーマネージメントは、複数の動力源付きリーン車両におけるエネルギー消費、動力源付きリーン車両に対するエネルギーチャージのタイミング、動力源付きリーン車両がエネルギーチャージするベース等を、それらのバランスを考慮して、複数の動力源付きリーン車両をエネルギーの観点から管理することを意味する。
【０２５９】
なお、本発明は、動力源付きリーン車両用シェアリング管理装置を、様々な工夫がなされたエネルギー供給設備と組み合わせることで、動力源付きリーン車両のエネルギーマネージメントをより効率化できる。例えば、前記様々な工夫がなされたエネルギー供給設備は、特許文献１で提案された、ベースに設けられた非接触給電装置などを含む。
【産業上の利用可能性】
【０２６０】
本発明は、動力源付きリーン車両のシェアリングを管理する動力源付きリーン車両用シェアリング管理装置及び動力源付きリーン車両用シェアリング管理方法に利用可能である。
【符号の説明】
【０２６１】
１  動力源付きリーン車両用シェアリング管理装置
２  通信回線
３  携帯端末
１０  シェアリング管理システム
１１  動力源付きリーン車両情報取得部
１２  動力源付きリーン車両管理部
１３  ユーザ単発利用要望情報取得部
１４  動力源付きリーン車両種類−ベース関連情報生成部
１５  動力源付きリーン車両種類−ベース関連情報出力部
１６  選択情報取得部
１７  動力源付きリーン車両単発予約情報生成部
１８  動力源付きリーン車両単発予約情報出力部
１００  電動２輪車（動力源付きリーン車両）
１０１、２０１、３０１  車体
１０２、２０２、３０２  前輪
１０３、２０３、３０３  後輪
１０６、２０６、３０６  パワーユニット
１０６ａ、２０６ａ  モータ
１２０、２２０  バッテリ装置
１３０、２３０、３３０  制御装置
２００  電動アシスト自転車（動力源付きリーン車両）
３００  自動２輪車（動力源付きリーン車両）
３０６ａ  エンジン
３２０  燃料タンク
Ｘ１〜Ｘ５  ベース
【図１】
2019087246.tif 000003
【図２】
2019087246.tif 000004
【図３】
2019087246.tif 000005
【図４】
2019087246.tif 000006
【図５】
2019087246.tif 000007
【図６】
2019087246.tif 000008
【図７】
2019087246.tif 000009
【図８】
2019087246.tif 000010
【図９】
2019087246.tif 000011
【図１０】
2019087246.tif 000012
【図１１】
2019087246.tif 000013